(57)【特許請求の範囲】
【請求項１】
第１の基地局によって送信される第１の信号の第１のコンポーネントを第１の移動局において受信することと、ここにおいて、前記第１の信号は、
拡散符号を使用して符号化された前記第１のコンポーネントと、
前記拡散符号を使用して符号化された第３のコンポーネントと、を具備し、
前記第１のコンポーネントは、前記第３のコンポーネントとともに時間ドメイン多重化される、
第２の基地局によって送信される第２の信号の第２のコンポーネントを前記第１の移動局において受信することと、ここにおいて、前記第２の信号は、
前記拡散符号を使用して符号化された前記第２のコンポーネントと、
前記拡散符号を使用して符号化された第４のコンポーネントと、を具備し、
前記第２のコンポーネントは、前記第４のコンポーネントとともに時間ドメイン多重化される、
前記第１のコンポーネントおよび前記第２のコンポーネントを前記第１の移動局において復号することと、
を具備し、
前記第１の移動局は、前記第１の基地局および前記第２の基地局とソフトまたはソフター・ハンドオフ状態のうちの少なくとも１つにある、
方法。
【請求項２】
前記第１のコンポーネントおよび前記第２のコンポーネントは、完全なメッセージを形成するために結合される、
請求項１に記載の方法。
【請求項３】
前記完全なメッセージを形成するために使用されるデータを送信することを終了するための信号を送信することをさらに具備する、
請求項２に記載の方法。
【請求項４】
前記第１のコンポーネントおよび前記第２のコンポーネントは、実質的に同時に前記第１の移動局によって受信される、
請求項１に記載の方法。
【請求項５】
前記第１のコンポーネントおよび第２のコンポーネントは、２０ミリ秒未満の時間の間に前記第１の移動局によって受信される、
請求項１に記載の方法。
【請求項６】
前記第３のコンポーネントおよび前記第４のコンポーネントは、完全なメッセージを形成するために結合される、
請求項１に記載の方法。
【請求項７】
前記拡散符号は、直交符号である、
請求項１に記載の方法。
【請求項８】
前記拡散符号は、ウォルシュ符号である、
請求項１に記載の方法。
【請求項９】
前記第１の基地局によって送信される前記第１の信号の前記第３のコンポーネントを第２の移動局において受信することと、
第２の基地局によって送信される前記第２の信号の前記第４のコンポーネントを前記第２の移動局において受信することと、
前記第３のコンポーネントおよび前記第４のコンポーネントを前記第２の移動局において復号することと、
をさらに具備し、
前記第２の移動局は、前記第１の基地局および前記第２の基地局とソフトハンドオフ状態にある、
請求項１に記載の方法。
【請求項１０】
フレームに関するデータが受信されたという信号を前記第１の基地局および前記第２の基地局に送信することをさらに具備する、
請求項１に記載の方法。
【請求項１１】
前記第１のコンポーネントは、２０ミリ秒の期間にわたって前記第３のコンポーネントとともに時間ドメイン多重化され、前記第１のコンポーネントは、第１の１０ミリ秒を占有し、前記第３のコンポーネントは、第２の１０ミリ秒を占有する、
請求項１に記載の方法。
【請求項１２】
前記第２のコンポーネントは、２０ミリ秒の期間にわたって前記第４のコンポーネントとともに時間ドメイン多重化され、および前記第２のコンポーネントは、第１の１０ミリ秒を占有し、前記第４のコンポーネントは、第２の１０ミリ秒を占有する、
請求項１に記載の方法。
【請求項１３】
第１の基地局によって送信される第１の信号を第１の移動局において受信することと、ここにおいて、前記第１の信号は、
拡散符号を使用して符号化された第１のコンポーネントと、
前記拡散符号を使用して符号化された第３のコンポーネントと、を具備し、
前記第１のコンポーネントは、前記第３のコンポーネントとともに時間ドメイン多重化される、
第２の基地局によって送信される第２の信号を前記第１の移動局において受信することと、ここにおいて、前記第２の信号は、
前記拡散符号を使用して符号化された第２のコンポーネントと、
前記拡散符号を使用して符号化された第４のコンポーネントと、を具備し、
前記第２のコンポーネントは、前記第４のコンポーネントとともに時間ドメイン多重化される、
前記第１のコンポーネントおよび前記第２のコンポーネントを前記第１の移動局において復号することと、
を具備し、
前記第１のコンポーネントは、前記第２のコンポーネントとは異なり、前記第３のコンポーネントは、前記第４のコンポーネントとは異なる、方法。
【請求項１４】
システムであって、
第１の基地局および第２の基地局からデータを送信および受信するように構成されているアンテナと、ここにおいて、
前記第１の基地局から受信される前記データは、拡散符号を使用して符号化された第１のコンポーネントおよび第３のコンポーネントを具備し、
前記第２の基地局から受信される前記データは、前記拡散符号を使用して符号化された第２のコンポーネントおよび第４のコンポーネントを具備する、
前記第１のコンポーネントおよび前記第２のコンポーネントを具備する命令を記録するおよびデータを記録するように構成されているメモリと、
前記第１のコンポーネントおよび前記第２のコンポーネントを復号するために前記命令を使用するように構成されているプロセッサと、
を具備し、
前記システムは、前記第１の基地局および前記第２の基地局とソフトまたはソフター・ハンドオフ状態のうちの少なくとも１つにある、
システム。
【請求項１５】
前記プロセッサは、完全なメッセージを形成するために前記第１のコンポーネントおよび前記第２のコンポーネントを結合するように構成されている、
請求項１４に記載のシステム。
【請求項１６】
前記プロセッサは、ウォルシュ符号を使用して前記第１のコンポーネントおよび前記第２のコンポーネントを復号するように構成されている、
請求項１４に記載のシステム。
【請求項１７】
前記プロセッサは、完全なメッセージが受信されたことを決定し、前記完全なメッセージを形成するために使用されるデータを送信することを停止するよう前記第１の基地局および前記第２の基地局に要求する信号を準備するようにさらに構成されている、
請求項１４に記載のシステム。
【請求項１８】
第１の基地局によって送信される第１の信号の第１のコンポーネントを第１の移動局において受信するための手段と、ここにおいて、前記第１の信号は、
拡散符号を使用して符号化された前記第１のコンポーネントと、
前記拡散符号を使用して符号化された第３のコンポーネントと、を具備し、
前記第１のコンポーネントは、前記第３のコンポーネントとともに時間ドメイン多重化される、
第２の基地局によって送信される第２の信号の第２のコンポーネントを前記第１の移動局において受信するための手段と、ここにおいて、前記第２の信号は、
前記拡散符号を使用して符号化された第２のコンポーネントと、
前記拡散符号を使用して符号化された第４のコンポーネントと、を具備し、
前記第２のコンポーネントは、前記第４のコンポーネントとともに時間ドメイン多重化される、
前記第１のコンポーネントおよび前記第２のコンポーネントを前記第１の移動局において復号するための手段と、
前記第１の基地局と前記第２の基地局との間で送信するソフトまたはソフター・ハンドオフのうちの少なくとも１つのための手段と、
を具備するシステム。
【請求項１９】
第１の基地局によって送信される第１の信号の第１のコンポーネントを収集することと、ここにおいて、前記第１の信号は、
拡散符号を使用して符号化された前記第１のコンポーネントと、
前記拡散符号を使用して符号化された第３のコンポーネントと、を具備し、
前記第１のコンポーネントは、前記第３のコンポーネントとともに時間ドメイン多重化される、
第２の基地局によって送信される第２の信号の第２のコンポーネントを収集することと、ここにおいて、前記第２の信号は、
前記拡散符号を使用して符号化された前記第２のコンポーネントと、
前記拡散符号を使用して符号化された第４のコンポーネントと、を具備し、
前記第２のコンポーネントは、前記第４のコンポーネントとともに時間ドメイン多重化される、
前記第１のコンポーネントおよび前記第２のコンポーネントを復号することと、
ソフトまたはソフター・ハンドオフのうちの少なくとも１つにより前記第１の基地局と前記第２の基地局との間で送信することと、
をプロセッサに実行させるためのコンピュータ・プログラム。
【請求項２０】
完全なメッセージを形成するために前記第１のコンポーネントおよび前記第２のコンポーネントを結合することをプロセッサにさらに実行させるための
請求項１９に記載のコンピュータ・プログラム。
【請求項２１】
前記完全なメッセージを形成するために使用されるデータを送信することを終了するための信号を送信することをプロセッサにさらに実行させるための、
請求項２０に記載のコンピュータ・プログラム。
【請求項２２】
前記第１のコンポーネントおよび前記第２のコンポーネントを復号することは、実質的に同時に実行される、
請求項１９に記載のコンピュータ・プログラム。
【請求項２３】
前記第１のコンポーネントおよび前記第２のコンポーネントを前記プロセッサに復号することは、２０ミリ秒未満の時間の間に実行される、
請求項１９に記載のコンピュータ・プログラム。
【請求項２４】
第１のフレームを第１のコンポーネントおよび第３のコンポーネントを具備するコンポーネントに分割することと、ここにおいて、前記第１のコンポーネントは、前記第３のコンポーネントとともに時間ドメイン多重化される、
第２のフレームを第２のコンポーネントおよび第４のコンポーネントを具備するコンポーネントに分割することと、ここにおいて、前記第２のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化することと、
前記符号化された第１のコンポーネントおよび前記符号化された第３のコンポーネントを具備する第１の信号を第１の基地局において送信することと、
前記符号化された第２のコンポーネントおよび前記符号化された第４のコンポーネントを具備する第２の信号を第２の基地局において送信することと、ここにおいて、前記第２の信号は、前記第１の信号が送信されるのと実質的に同時に送信される、
前記第１の信号および前記第２の信号の送信が終了されることができることを示す第３の信号が移動局から受信されたかどうかを決定することと、
前記第３の信号が受信されたと決定すると、前記第１の信号および前記第２の信号の送信を停止することと、
を具備する方法。
【請求項２５】
前記符号化された第１のコンポーネントおよび前記符号化された第２のコンポーネントは、完全なメッセージを形成するために結合される、
請求項２４に記載の方法。
【請求項２６】
前記符号化された第３のコンポーネントおよび前記符号化された第４のコンポーネントは、完全なメッセージを形成するために結合される、
請求項２４に記載の方法。
【請求項２７】
前記拡散符号は、直交符号である、
請求項２４に記載の方法。
【請求項２８】
前記拡散符号は、ウォルシュ符号である、
請求項２４に記載の方法。
【請求項２９】
前記第１のコンポーネントは、２０ミリ秒の期間にわたって前記第３のコンポーネントとともに時間ドメイン多重化され、前記第１のコンポーネントは、第１の１０ミリ秒を占有し、前記第３のコンポーネントは、第２の１０ミリ秒を占有する、
請求項２４に記載の方法。
【請求項３０】
前記第２のコンポーネントは、２０ミリ秒の期間にわたって前記第４のコンポーネントとともに時間ドメイン多重化され、前記第２のコンポーネントは、第１の１０ミリ秒を占有し、前記第４のコンポーネントは、第２の１０ミリ秒を占有する、
請求項２４に記載の方法。
【請求項３１】
第１のフレームを第１のコンポーネントおよび第３のコンポーネントを具備するコンポーネントに分割し、ここにおいて、前記第１のコンポーネントは、第３のコンポーネントとともに時間ドメイン多重化される、
第２のフレームを前記第２のコンポーネントおよび第４のコンポーネントを具備するコンポーネントに分割し、ここにおいて、前記第２のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化する
ように構成されているプロセッサと、
前記符号化された第１のコンポーネントおよび前記符号化された第３のコンポーネントを第１の基地局へ送信し、
前記符号化された第２のコンポーネントおよび前記符号化された第４のコンポーネントを第２の基地局へ送信する
ように構成されている基地局インターフェースと、
を具備し、
前記第１の基地局は、前記符号化された第１のコンポーネントおよび前記符号化された第３のコンポーネントを送信するように構成され、
前記第２の基地局は、前記第１の基地局が前記符号化された第１のコンポーネントおよび前記符号化された第３のコンポーネントを送信するのと実質的に同時に、前記符号化された第２のコンポーネントおよび前記符号化された第４のコンポーネントを送信するように構成されている、
前記第１の基地局および前記第２の基地局は、移動局とソフトまたはソフター・ハンドオフ状態のうちの少なくとも１つにある、
システム。
【請求項３２】
第１のフレームを第１のコンポーネントおよび第３のコンポーネントを具備するコンポーネントに分割するための手段と、ここにおいて、前記第１のコンポーネントは、第３のコンポーネントとともに時間ドメイン多重化される、
第２のフレームを前記第２のコンポーネントおよび第４のコンポーネントを具備するコンポーネントに分割するための手段と、ここにおいて、前記第２のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化するための手段と、
前記符号化された第１のコンポーネントおよび前記符号化された第３のコンポーネントを第１の基地局から送信するための手段と、
前記第１の基地局が、前記符号化された第１のコンポーネントおよび前記符号化された第３のコンポーネントを送信するのと実質的に同時に、前記符号化された第２のコンポーネントおよび前記符号化された第４のコンポーネントを第２の基地局から送信するための手段と、
移動局、前記第１の基地局、および前記第２の基地局の間の少なくとも１つのソフトまたはソフター・ハンドオフ送信のための手段と、
を具備するシステム。
【請求項３３】
第１のフレームを第１のコンポーネントおよび第３のコンポーネントを具備するコンポーネントに分割することと、ここにおいて、前記第１のコンポーネントは、第３のコンポーネントとともに時間ドメイン多重化される、
第２のフレームを前記第２のコンポーネントおよび第４のコンポーネントを具備するコンポーネントに分割することと、ここにおいて、前記第２のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化することと、
前記符号化された第１のコンポーネントおよび前記符号化された第３のコンポーネントを第１の基地局において送信することと、
前記第１の基地局が、前記符号化された第１のコンポーネントおよび前記符号化された第３のコンポーネントを送信するのと実質的に同時に、前記符号化された第２のコンポーネントおよび前記符号化された第４のコンポーネントを第２の基地局において送信することと、
をプロセッサに実行させるためのコンピュータ・プログラム。
【発明の詳細な説明】
【関連出願の参照】
【０００１】
本特許出願は、２００８年１０月２８日に出願された米国仮出願６１／１０９，１２２および６１／１０９，１２９に基づいて優先権を主張するものであって、当該仮出願の開示は、参照によって本明細書の全体に組み込まれている。
【背景技術】
【０００２】
ワイヤレス通信は、通信するための一般的な方法となり、有線通信に追いついている。ワイヤレス通信は、音声、データなどを含む通信のすべての種類に関して使用される。ワイヤレス通信の人気は、利用可能なシステムリソース（例えば、帯域幅および送信電力）を共有することによって複数のユーザとの通信をサポートすることができる多元接続システムを含む、より多くのワイヤレス通信システムを配置するという結果となった。多元接続システムのいくつかの事例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００３】
ワイヤレス通信において使用される多元接続システムは、複数のワイヤレス端末のための通信を同時にサポートすることができる。各々の端末は、順方向および逆方向リンク上で送信を送ることによって１つまたは複数の基地局と通信する。ダウンリンクとも呼ばれる順方向リンクは、基地局から端末または移動局への通信リンクである。アップリンクとも呼ばれる逆方向リンクは、端末または移動局から基地局への通信リンクである。順方向リンクおよび逆方向リンクの両方は、単一入力単一出力システム、多入力単一出力システム、または多入力多出力（ＭＩＭＯ）システムを通じて確立されることができる。
【０００４】
ＭＩＭＯシステムは、データ送信のための複数の送信アンテナおよび複数の受信アンテナを使用する。マルチキャリアシステムは、情報送信のための２つ以上のキャリア周波数の使用を可能にすることによって、向上されたパフォーマンスを提供することができる。これは、より高いスループットおよび／またはより高い信頼性をもたらすことができる。しかしながら、複数のキャリア間の電力の分割のようにそれらのパフォーマンスに影響を及ぼし得るマルチキャリアシステムに関連する問題がある。例えば、異なる複数のキャリア間の電力の分割および割り当ては、困難であり得る。また、正しく行われていない場合、信号の劣化という結果となり得る。
【０００５】
いくつかの通信システムは、ワイヤレス通信に利用可能な帯域幅を増加したが、ワイヤレス通信の増加した人気によってもたらされるさらなる要求がまだある。より多くのデータを送信するために複数のキャリア周波数を使用するような技術は、利用可能な帯域幅の増加を助けてきたが、他の問題をもたらした。例えば、ＣＤＭＡ２０００およびＷＣＤＭＡの両方は、すぐに、順方向リンクにおいて制限された符号スペースになりはじめた。これは、これらのシステムの容量の増大が直交符号の利用可能な数によって制限されるために生じている。ＣＤＭＡ２０００は、擬似直交関数（ＱＯＦ）を取り入れることによってこれらの容量の問題を解決することを試みてきた。これは、セクタ内の干渉を引き起こす負の側面を有する。ＷＣＤＭＡはまた、同じセルへ追加のＰＮ符号を割り当てることによってこの容量の問題を解決するよう試みてきた。これもまた、セクタ内の干渉を引き起こす負の側面を有する。これらのアプローチの両方によって提供されるセクタ内の干渉に取り組むために、ダウンリンク容量を増加するためのキャンセル技法が使用される。しかしながら、キャンセル技法は、所望の信号のキャンセルのような他の問題を引き起こし得る。
【発明の概要】
【０００６】
実施形態は、セクタ内の干渉を最小化しつつ、ＣＤＭＡ２０００およびＷＣＤＭＡダウンリンク上で利用可能な次元（符号スペース）を増加させる技術を提供する。利用可能な次元を増加させることによって、より高いスループットおよび／またはより高い信頼性が達成される。これは、サービスを受けることができるユーザおよび移動局の数を増加させる結果となる。
【０００７】
それぞれのユーザは、ウォルシュ符号のような直交符号である拡散符号を時間共有することができる。この時間共有は、セクタ内の干渉を低減しつつ、ＣＤＭＡ２０００およびＷＣＤＭＡダウンリンク上で次元を増加させるために移動局アクティブセットにおけるセクタにわたるソフト／ソフター・ハンドオフ（ＣＣＳＨ）を符号結合することにより結合される。データフレームの異なる部分は、単一時間ドメインの間にアクティブセットにおいて異なる基地局によってユーザへ送信されるので、よりはやい復号化をし、その結果、フレーム送信の早期終了が可能になる。
【０００８】
実施形態において、方法は、第１の基地局によって送信される第１の信号の第１のコンポーネントを第１の移動局において受信することと、第２の基地局によって送信される第２の信号の第３のコンポーネントを第１の移動局において受信することと、および第１のコンポーネントおよび第３のコンポーネントを第１の移動局において復号することとを含む。第１の信号は、拡散符号を使用して符号化された第１のコンポーネントおよび拡散符号を使用して符号化された第２のコンポーネントを含む。第１のコンポーネントは、第２のコンポーネントとともに時間ドメイン多重化される。第２の信号は、拡散符号を使用して符号化された第３のコンポーネントおよび拡散符号を使用して符号化された第４のコンポーネントを含む。第３のコンポーネントはまた、第４のコンポーネントとともに時間ドメイン多重化される。第１の移動局は、第１の基地局および第２の基地局とソフトまたはソフター・ハンドオフ状態にある。第１のコンポーネントおよび第３のコンポーネントは、完全なメッセージを形成するために結合されることができる。方法は、完全なメッセージを形成するために使用されるデータを送信することを終了するための信号を送信することをさらに含むことができる。拡散符号は、ウォルシュ符号のような直交符号であることができる。
【０００９】
さらなる実施形態において、第１のコンポーネントおよび第３のコンポーネントは、実質的に同時に移動局によって受信される。代替的に、第１のコンポーネントおよび第３のコンポーネントは、２０ミリ秒未満の時間の間に移動局によって受信されることができる。
【００１０】
さらに、他の実施形態において、第２のコンポーネントおよび第４のコンポーネントは、完全なメッセージを形成するために結合される。
【００１１】
さらに、他の実施形態において、方法は、第１の基地局によって送信される第１の信号の第２のコンポーネントを第２の移動局において受信することと、第２の基地局によって送信される第２の信号の第４のコンポーネントを第２の移動局において受信することと、および第２のコンポーネントおよび第４のコンポーネントを第２の移動局において復号することとをさらに含む。第２の移動局は、第１の基地局および第２の基地局とソフトハンドオフ状態にある。
【００１２】
さらに、他の実施形態において、方法は、フレームに関するデータが受信されたとの信号を第１の基地局および第２の基地局へ送信することを含む。
【００１３】
さらに、他の実施形態において、第１のコンポーネントは、２０ミリ秒の期間にわたって第２のコンポーネントとともに時間ドメイン多重化されることができる。第１のコンポーネントは、第１の１０ミリ秒を占有し、第２のコンポーネントは、第２の１０ミリ秒を占有することができる。第３のコンポーネントは、２０ミリ秒の期間にわたって第４のコンポーネントとともに時間ドメイン多重化されることができる。第３のコンポーネントは、第１の１０ミリ秒を占有することができ、第４のコンポーネントは、第２の１０ミリ秒を占有することができる。
【００１４】
他の実施形態において、システムは、第１の基地局および第２の基地局からデータを送信および受信するように構成されているアンテナと、命令を記録し、第１のコンポーネントおよび第３のコンポーネントを含むデータを記録するように構成されているメモリと、および第１のコンポーネントおよび第３のコンポーネントを復号するために命令を使用するように構成されているプロセッサとを含む。第１の基地局から受信されるデータは、拡散符号を使用して符号化された第１のコンポーネントおよび第２のコンポーネントを含む。第２の基地局から受信されるデータは、拡散符号を使用して符号化された第３のコンポーネントおよび第４のコンポーネントを含む。システムは、第１の基地局および第２の基地局とソフトまたはソフター・ハンドオフ状態にある。プロセッサは、完全なメッセージを形成するために第１のコンポーネントおよび第３のコンポーネントを結合するように構成されることができる。プロセッサはまた、ウォルシュ符号を使用して第１のコンポーネントおよび第２のコンポーネントを復号するように構成されることができる。プロセッサは、完全なメッセージが受信されたことを決定し、完全なメッセージを形成するために使用されるデータを送信することを停止するよう第１の基地局および第２の基地局に要求する信号を準備するようにさらに構成されるこができる。
【００１５】
さらに、他の実施形態において、コンピュータ・プログラム・プロダクトは、第１の基地局によって送信される第１の信号の第１のコンポーネントを収集することと、第２の基地局によって送信される第２の信号の第３のコンポーネントを収集することと、第１のコンポーネントおよび第３のコンポーネントを復号することと、およびソフトまたはソフター・ハンドオフのうちの少なくとも１つにより第１の基地局と第２の基地局との間で移行することとをプロセッサにさせるように構成されているプロセッサ可読命令を記録するコンピュータ可読媒体を含む。第１の信号は、拡散符号を使用して符号化された第１のコンポーネントおよび拡散符号を使用して符号化された第２のコンポーネントを含む。第１のコンポーネントは、第２のコンポーネントととともに時間ドメイン多重化される。第２の信号は、拡散符号を使用して符号化された第３のコンポーネントおよび拡散符号を使用して符号化された第４のコンポーネントを含む。第３のコンポーネントは、第４のコンポーネントとともに時間ドメイン多重化される。命令は、完全なメッセージを形成するために第１のコンポーネントおよび第３のコンポーネントをプロセッサに結合させるようにさらに構成されることができる。命令は、完全なメッセージを形成するために使用されるデータを送信することを終了するための信号をプロセッサに送信させることができる。第１のコンポーネントおよび第３のコンポーネントをプロセッサに復号させる命令は、実質的に同時に実行されることができる。第１のコンポーネントおよび第３のコンポーネントをプロセッサに復号させる命令は、２０ミリ秒未満の時間の間に実行されることができる。
【００１６】
さらに、他の実施形態において、方法は、第１のフレームを第１のコンポーネントおよび第２のコンポーネントを含むコンポーネントに分割することと、第２のフレームを第３のコンポーネントおよび第４のコンポーネントを含むコンポーネントに分割することと、第１のコンポーネント、第２のコンポーネント、第３のコンポーネント、および第４のコンポーネントを拡散符号で符号化することと、符号化された第１のコンポーネントおよび符号化された第２のコンポーネントを含む第１の信号を第１の基地局において送信することと、符号化された第３のコンポーネントおよび符号化された第４のコンポーネントを含む第２の信号を第２の基地局において送信することと、および第１の信号および第２の信号の送信が終了されることができることを示す第３の信号が移動局から受信されたかどうかを決定することとを含む。第３の信号が受信されたことを決定すると、第１の信号および第２の信号の送信を停止する。第２の信号は、第１の信号が送信されるのと実質的に同時に送信されることができる。第１のコンポーネントは、第２のコンポーネントとともに時間ドメイン多重化されることができ、第３のコンポーネントは、第４のコンポーネントとともに時間ドメイン多重化される。符号化された第１のコンポーネントおよび符号化された第３のコンポーネントは、完全なメッセージを形成するために結合されることができる。符号化された第２のコンポーネントおよび符号化された第４のコンポーネントはまた、完全なメッセージを形成するために結合されることができる。拡散符号は、ウォルシュ符号のような直交符号であってもよい。第１のコンポーネントは、２０ミリ秒の期間にわたって第２のコンポーネントとともに時間ドメイン多重化されることができ、第１のコンポーネントは、第１の１０ミリ秒を占有し、第２のコンポーネントは、第２の１０ミリ秒を占有することができる。第３のコンポーネントはまた、２０ミリ秒の期間にわたって第４のコンポーネントとともに時間ドメイン多重化されることができ、第３のコンポーネントは、第１の１０ミリ秒を占有することができ、第４のコンポーネントは、第２の１０ミリ秒を占有することができる。
【００１７】
さらに、他の実施形態において、システムは、プロセッサ、基地局インターフェース、第１の基地局および第２の基地局を含む。プロセッサは、第１のフレームを第１のコンポーネントおよび第３のコンポーネントを含むコンポーネントに分割し、第２のフレームを第２のコンポーネントおよび第４のコンポーネントを含むコンポーネントに分割し、および第１のコンポーネント、第２のコンポーネント、第３のコンポーネント、および第４のコンポーネントを拡散符号で符号化するように構成されることができる。基地局インターフェースは、符号化された第１のコンポーネントおよび符号化された第２のコンポーネントを第１の基地局へ送信し、符号化された第３のコンポーネントおよび符号化された第４のコンポーネントを第２の基地局へ送信するように構成されることができる。第１の基地局は、符号化された第１のコンポーネントおよび符号化された第２のコンポーネントを送信するように構成されることができる。第２の基地局は、第１の基地局が、符号化された第１のコンポーネントおよび符号化された第２のコンポーネントを送信するのと実質的に同時に符号化された第３のコンポーネントおよび符号化された第４のコンポーネントを送信するように構成されることができる。第１の基地局および第２の基地局は、移動局とソフトまたはソフター・ハンドオフ状態にあることができる。第１のコンポーネントは、第２のコンポーネントとともに時間ドメイン多重化されることができ、および第３のコンポーネントは、第４のコンポーネントとともに時間ドメイン多重化されることができる。拡散符号は、ウォルシュ符号のような直交符号であることができる。
【００１８】
さらに、他の実施形態において、第１のフレームを第１のコンポーネントおよび第３のコンポーネントを含むコンポーネントに分割し、第２のフレームを第２のコンポーネントおよび第４のコンポーネントを含むコンポーネントに分割し、第１のコンポーネント、第２のコンポーネント、第３のコンポーネント、および第４のコンポーネントを拡散符号で符号化し、符号化された第１のコンポーネントおよび符号化された第２のコンポーネントを第１の基地局において送信し、第１の基地局が、符号化された第１のコンポーネントおよび符号化された第２のコンポーネントを送信するのと実質的に同時に符号化された第３のコンポーネントおよび符号化された第４のコンポーネントを第２の基地局において送信するように構成されているプロセッサ可読命令を記録するプロセッサ可読媒体を含む。第１のコンポーネントは、第２のコンポーネントとともに時間ドメイン多重化され、および第３のコンポーネントは、第４のコンポーネントとともに時間ドメイン多重化される。拡散符号は、ウォルシュ符号のような直交符号であることができる。
【００１９】
本開示の適用性さらなる領域は、以下で提供される詳細な説明から明白になるだろう。詳細な説明および特定の事例は、様々な実施形態を示すが、例示の目的のみのためである。
【図面の簡単な説明】
【００２０】
以下で提示される詳細な説明の残りの部分および図面の参照によって本開示の本質および利点のさらなる理解が認識されることができる。図面は、本開示の詳細な説明部分に組み込まれる。
【図１Ａ】図１Ａは、理想的な六角形のカバレッジエリアを有するいくつかの基地局の近くに位置した移動局を含むワイヤレス通信システムの簡略化された図である。
【図１Ｂ】図１Ｂは、オーバーラップするカバレッジエリアを有するいくつかの基地局を図示する例示である。
【図１Ｃ】図１Ｃは、図１Ａにおいて図示される基地局制御装置のコンポーネントのブロック図である。
【図１Ｄ】図１Ｄは、図１Ａにおいて図示される移動局のコンポーネントのブロック図である。
【図１Ｅ】図１Ｅは、図１Ａにおいて図示される基地局のコンポーネントのブロック図である。
【図２Ａ】図２Ａは、順方向リンク部分時間送信（Forward Link Fractional Time Transmission）を図示する例示である。
【図２Ｂ】図２Ｂは、従来技術送信を図示する例示である。
【図３Ａ】図３Ａは、代替的な順方向リンク部分送信パターンを図示する例示である。
【図３Ｂ】図３Ｂは、代替的な順方向リンク部分送信パターンを図示する例示である。
【図４Ａ】図４Ａは、アクティブセットにおける２つの基地局から単一の移動局への送信を例示するブロック図である。
【図４Ｂ】図４Ｂは、アクティブセットにおける２つの基地局から２つの移動局への送信を例示するブロック図である。
【図５】図５は、アクティブセットにおけるＮ個の基地局からの一般化された送信を例示するブロック図である。
【図６】図６は、ＣＤＭＡ基地局によって生成される順方向リンクチャネル信号を処理するために移動局によって使用されるオペレーションを例示するフローチャートである。
【図７】図７は、順方向リンクチャネル信号を生成するために基地局によって使用されるオペレーションを例示するフローチャートである。
【図８】図８は、逆方向リンク電力制御に関するアプローチを例示するブロック図である。
【図９】図９は、スマート・ブランキングが使用禁止である逆方向リンク電力制御に関するアプローチを例示するブロック図である。
【図１０】図１０は、スマート・ブランキングが使用可能である逆方向リンク電力制御に関するアプローチを例示するブロック図である。
【発明の詳細な説明】
【００２１】
以下の説明において、説明の目的のために、本開示の全体の理解を提供するために特定の詳細が述べられる。しかしながら、本開示がこれらの特定の詳細によらずに実施されることができることは明白であろう。
【００２２】
実施形態は、ＣＤＭＡ基地局によって生成される順方向リンクチャネル信号を処理するために移動局によって使用されるシステムおよび方法を提供する。実施形態はまた、移動局によって使用されることとなる順方向リンクチャネル信号を生成するために基地局によって使用されるシステムおよび方法を提供する。実施形態において、順方向リンクチャネル信号は、ウォルシュ符号のような直交符号で符号化される。２人のユーザの符号化されたＣＤＭＡ２０００ １ｘ順方向リンク信号は、次に、時間共有技術を使用して送信される。追加の実施形態は、２人のユーザによって同時に所与のウォルシュ符号の時間共有で結合される移動局のアクティブセットにおけるセクタにわたるソフト／ソフター・ハンドオフを符号結合することを使用する。この実施形態において、パケットまたはフレームの異なる部分が、アクティブセットにおける様々な基地局によってユーザへ送信される。これは、より早い復号をし、その結果、より早いパケットまたはフレームの終了を可能にする。
【００２３】
図１Ａは、対照的にタイル張りされた配置において、六角形のカバレッジエリアまたはセル１１２Ａ−１１２Ｎを有するいくつかの基地局１１０Ａ−１１０Ｎを含むワイヤレス通信システム１００を図示する例示である。ここで、各エリアは、他のエリアに接する。基地局１１０Ａ−１１０Ｎは、基地局制御装置１１８によって制御される。基地局１１０Ｋのカバレッジエリア内に位置する移動局１２０Ａは、基地局１１０Ｋに非常に近接して位置している。したがって、基地局１１０Ｋから強い信号を受信し、周囲の基地局から比較的弱い信号を受信する。同様に、移動局１２０Ｂは、基地局１１０Ｍのカバレッジエリアに位置しているが、基地局１１０Ｉおよび１１０Ｊのカバレッジエリアに接近している。しかしながら、移動局１２０Ｂは、基地局１１０Ｍから比較的弱い信号を受信し、基地局１１０Ｉおよび１１０Ｊから同様のサイズの信号を受信するので、移動局１２０Ｂは、基地局１１０Ｍ、１１０Ｉ、および１１０Ｊとソフトハンドオフ状態にあってもよい。図１Ａにおける例示は、基地局カバレッジエリアが、オーバーラップのない六角形であることを図示しているが、基地局カバレッジエリアは、サイズおよび形の点で異なってもよく、例示された六角形の形と異なるカバレッジエリアの形を定義するカバレッジエリアの境界とオーバーラップする傾向がある。例えば、図１Ｂは、オーバーラップするカバレッジエリアを備える３個の基地局１６０Ａ−１６０Ｃを例示する。
【００２４】
基地局１１０Ａ−１１０Ｎは、基地局制御装置１１８との双方向通信のために接続され、および構成される。基地局制御装置１１８は、基地局１１０Ａ−１１０Ｎにハードワイヤードされることができる。基地局１１０Ａ−１１０Ｎは、基地局１１０Ａ−１１０Ｎへおよび基地局１１０Ａ−１１０Ｎからの間の送信を送信、受信、符号化、および復号するように構成されている適切な送信機および受信機を有する。基地局１１０Ａ−１１０Ｎは、送信を伝達、受信、符号化、および復号するように構成されている適切な送信機および受信機を有する。基地局制御装置１１８はまた、他の基地局制御装置との双方向通信のために接続および構成される。
【００２５】
図１Ａにおいて例示されるように、セルはまた、セクタ化されることができる。図１Ａは、基地局１１０Ｇを含むセル１１２Ｇが３個のセクタ化された基地局であることを図示する。セルはまた、より少ない数またはより多い数のセクタにセクタ化されることができる。セル１１２Ｇの各々のセクタ１２６は、基地局カバレッジエリアの１２０度以上をカバーする。実線によって示されるカバレッジエリアを有するセクタ１２６Ａは、粗い点線によって示されるカバレッジエリアを有するセクタ１２６Ｂのカバレッジエリアをオーバーラップする。セクタ１２６Ａはまた、細かい点線によって示されるカバレッジエリアを有するセクタ１２６Ｃをオーバーラップする。図１ＡにおいてＸによって識別される位置１２８は、セクタ１２６Ａのカバレッジエリアとセクタ１２６Ｂのカバレッジエリアの両方に位置する。
【００２６】
セルをセクタに分割することは、基地局のカバレッジエリア内に位置する移動局間の全体の干渉を低減しつつ、基地局を通って通信することができる移動局の数を増やす。例えば、セクタ１２６Ｃは、位置１２８における移動局を対象とする信号を送信しない。したがって、セクタ１２６Ｃに位置する移動局は、基地局１１０Ｇを備える位置１２８における移動局の通信によって著しく干渉されない。しかしながら、位置１２８に位置する移動局は、セクタ１２６Ａおよび１２６Ｂから並びに基地局１１０Ｆおよび１１０Ｋから信号を受信する。したがって、位置１２８における干渉は、セクタ１２６Ａおよび１２６Ｂから並びに基地局１１０Ｆおよび１１０Ｋからであるが、セクタ１２６Ｃからではない。さらに、位置１２８に位置する移動局は、以下で説明されるように、セクタ１２６Ａおよび１２６Ｂとソフター・ハンドオフ状態にあるだけでなく、基地局１１０Ｆおよび１１０Ｋとソフトハンドオフ状態にあり得る。ソフトハンドオフおよびソフター・ハンドオフモードは、同時であってもよい。
【００２７】
ソフトまたはソフター・ハンドオフモードで作動する移動局は、少なくとも２つの基地局からデータを受信する。例えば、移動局１２０Ｂは、基地局１１０Ｍ、１１０Ｉ、および１１０Ｊからデータを受信する。受信されたデータは、その後、復号に先立って結合される。ＣＤＭＡ順方向リンク受信機において、（ソフター／ソフトハンドオフの場合において、）複数の基地局からの受信信号は、復号に先立って結合される。ＣＤＭＡ逆方向リンク受信機において、各々の基地局における受信信号は、独立に復号され、復号されたデータは、基地局制御装置に転送される。基地局制御装置において、（ソフトハンドオフの場合において、）正確に復号されたデータは、成功的に復号されたデータストリームのうちのいずれかから選択される。
【００２８】
基地局１１０Ａ−１１０Ｎおよび移動局１２０Ａ及び１２０Ｂは、複数のユーザが通信媒体を共有することを可能にするいくつかのアクセス方式を使用して通信することができる。ここで、例えば、符号分割多元接続（ＣＤＭＡ）は、通信媒体を共有するために移動局１２０Ａおよび１２０Ｂおよび基地局１１０Ａ−１１０Ｎによって使用される。ＣＤＭＡシステムは、システムにおける全ての基地局１１０Ａ−１１０Ｎとの通信のために共通の周波数帯域を使用する。これは、移動局１２０Ａまたは１２０Ｂと１つ以上の基地局１１０Ａ−１１０Ｎとの間の同時通信を可能にさせる。ＣＤＭＡは、拡散スペクトル通信システムによって使用される多元接続の形式である。ＣＤＭＡシステムは、狭帯域データ・シーケンスを広帯域信号に変換するために広帯域拡散信号を使用する。拡散信号は、擬似雑音（ＰＮ）シーケンスのみならずウォルシュ符号のような直交符号を含むことができる。
【００２９】
ＰＮ符号は、ランダムに出現する２進数シーケンスであるが、意図した受信機または移動局によって再生されることができる。ほとんど直交であるＰＮ符号は、ユーザの信号を符号化および復号するために非同期ＣＤＭＡにおいて使用される。数学的に直交符号であるウォルシュ符号は、個々の通信チャネルを一義的に定義するために使用される。ウォルシュ符号は、無相関である。他のものに対する符号の干渉影響は、移動局受信機において完全に除去されることができ、これらの２つの符号は、同時に送信され、チャネル変化を経験しない。いくつかの実施形態において、ウォルシュ符号は、所与の電力制御グループ（ＰＣＧ）において所与の移動局に一義的に割り当てられる。
【００３０】
いくつかのＣＤＭＡ標準は、基地局１１０Ａ−１１０Ｎが順方向リンク電力制御を実装し、移動局１２０Ａおよび１２０Ｂがこれを支援することを必要とする。これらの標準のもとで、移動局１２０Ａまたは１２０Ｂのうちの少なくとも１つは、所定の信号品質基準を維持するよう基地局１１０Ａ−１１０Ｎにコマンドする。言い換えると、移動局１２０Ａまたは１２０Ｂは、それらの送信電力を調節するよう基地局１１０Ａ−１１０Ｎにコマンドする。基地局は、移動局に割り当てられた順方向トラヒックチャネル上の基地局の送信電力を新しい電力レベルに増やすまたは減らす。基地局は、新しい電力レベルを維持し、当該基地局が、移動局から新しい電力レベル要求を受信するまでの期間の間、当該新しい電力レベルで作動する。新しい電力レベルが維持される期間は、１つの電力制御グループ（ＰＣＧ）の持続時間である。各々の順方向トラヒック・チャネル・フレームは、２０ミリ秒の持続時間を有し、各々が１．２５ミリ秒の持続時間を備える１６個のＰＣＧから成る。
【００３１】
システム１００において、ｃｄｍａ２０００ １ｘ順方向リンクについて２人のユーザによる直交符号（ここでは、ウォルシュ符号）の時間共有がある。さらに、同時に２人のユーザによって所与のウォルシュ符号の時間共有をすることで結合される、移動局アクティブセットにおけるセクタにわたるソフト／ソフター・ハンドオフを符号結合することがある。パケットまたはフレームの異なる部分は、アクティブセットにおける基地局によってユーザに送信され、よりはやい復号化を可能にし、その結果、そのような時間共有および符号結合によらないときよりもはやいパケットまたはフレームの終了となる。
【００３２】
図１Ｃは、基地局制御装置１１８を例示するブロック図であり、プロセッサ１３０、メモリ１３２、ディスクドライブ１３４、ネットワーク・インターフェース１３６、および基地局インターフェース１３８を含む。基地局インターフェース１３８は、基地局制御装置１１８と基地局１１０Ａ−１１０Ｎとの間の送信を送信、受信、符号化、および復号化するための送信機および受信機を含む。プロセッサ１３０は、好ましくは、インテリジェント・ハードウェアデバイス（例えば、インテル（登録商標）株式会社またはＡＭＤ（登録商標）によって作られるもののような中央演算処理装置（ＣＰＵ）、マイクロコントローラ、特定用途集積回路（ＡＳＩＣ）など）である。メモリ１３２は、ランダムアクセスメモリ（ＲＡＭ）および読取専用メモリ（ＲＯＭ）を含む。ディスクドライブ１３４は、ハード・ディスク・ドライブを含み、フロッピー（登録商標）ディスクドライブ、ＣＤ−ＲＯＭドライブ、および／またはジップドライブを含むことができる。ネットワーク・インターフェースは、公衆切換電話ネットワーク（ＰＳＴＮ）のような電話ネットワークと通信状態にある移動切換センター（ＭＳＣ）へおよび移動切換センターからの双方向通信のための適切なハードウェアを含む。
【００３３】
基地局制御装置１１８は、実行されるとき、以下で説明される機能をプロセッサ１３０に実行させるように構成されている命令を含むコンピュータ可読、コンピュータ実行可能ソフトウェア符号１３３を例えば、メモリ１３２において記録する（とはいえ、当該説明は、ソフトウェア１３３が機能を実行すると読むことができる）。代替的に、ソフトウェア１３３は、プロセッサ１３０によって直接実行可能でなくてもよいが、例えば、コンパイルされるおよび実行されるとき、当該機能をコンピュータに実行させるように構成されている。当該機能は、ネットワーク・トラフィック・ロードにネットワークリソースを適応することによってネットワーク・パフォーマンスを改善するためのメカニズムを実装する。ソフトウェア１３３は、ディスクなどからアップロードされる、基地局制御装置１１８上に、例えば、ネットワーク接続を介してダウンロードされることによってロードされることができる。
【００３４】
図１Ｄは、移動局１２０を例示するブロック図であり、プロセッサ１６０、メモリ１６２、トランシーバ１６４、およびアンテナ１６６を含む。移動局（ＭＳ）１２０は、次のものには制限されないが、移動局１２０Ａおよび１２０Ｂを含む本開示において説明された移動局のうちのいずれかを指すよう意図される。トランシーバ１６４は、基地局１１０Ａ−１１０Ｎと双方向に通信するように構成されている。プロセッサ１６０は、好ましくは、インテリジェント・ハードウェアデバイス（例えば、インテル（登録商標）株式会社またはＡＭＤ（登録商標）によって作られるもののようなセントラル処理ユニット（ＣＰＵ）、マクロコントローラ、特定用途集積回路（ＡＳＩＣ）など）である。メモリ１６２は、ランダムアクセスメモリ（ＲＡＭ）および読取専用メモリ（ＲＯＭ）を含む。メモリ１６２は、実行されるとき、本明細書において説明された様々な機能をプロセッサ１６０に実行させるように構成されている命令を含むコンピュータ可読、コンピュータ実行可能ソフトウェアコード１６３を記録する。代替的に、ソフトウェア１６３は、プロセッサ１６０によって直接実行可能ではないが、例えば、コンパイルされるおよび実行されるとき、当該機能をコンピュータに実行させるように構成されている。
【００３５】
図１Ｅは、基地局１１０のうちの１つを例示するブロック図であり、プロセッサ１８０、メモリ１８２、トランシーバ１８４、アンテナ１８６および基地局制御装置インターフェース１８７を含む。基地局（ＢＳ）１１０は、次のものには制限されないが、基地局１１０Ａ−１１０Ｎを含む本開示において説明される基地局のうちのいずれかを指すように意図される。トランシーバ１８４は、移動局１２０Ａ−１２０Ｂと双方向に通信するように構成されている。プロセッサ１８０は、好ましくは、インテリジェント・ハードウェアデバイス（例えば、インテル（登録商標）株式会社またはＡＭＤ（登録商標）によって作られるもののような中央演算処理装置（ＣＰＵ）、マイクロコントローラ、特定用途集積回路（ＡＳＩＣ）など）である。メモリ１８２は、ランダムアクセスメモリ（ＲＡＭ）および読取専用メモリ（ＲＯＭ）を含む。メモリ１８２は、実行されるとき、本明細書において説明される様々な機能をプロセッサ１８０に実行させるように構成されている命令を含むコンピュータ可読、コンピュータ実行可能ソフトウェア符号１８３を記録する。代替的に、ソフトウェア１８３は、プロセッサ１８０によって直接実行可能ではなくてもよいが、例えば、コンパイルおよび実行されるとき、当該機能をコンピュータに実行させるように構成されている。基地局制御装置インターフェース１８７は、基地局制御装置１１８と基地局１１０Ａ−１１０Ｎとの間の送信を送信、受信、符号化、および復号化するための送信機および受信機を含む。
【００３６】
図２Ａは、実施形態にしたがって、新規な無線構成（新しいＲＣ）２１０を使用する順方向リンク部分時間送信を図示する例示である。新規なＲＣ２１０で、W128Xとして図示される１つのウォルシュ符号のみが使用される。２０ミリ秒の持続時間は、分割されるので、１０ミリ秒は、第１のユーザ（ユーザ１）のために使用され、１０ミリ秒は、第２のユーザ（ユーザ２）のために使用される。新しいＲＣ２１０は、４−ＰＣＧ ＯＮ、４−ＰＣＧ ＯＦＦ、４−ＰＣＧ ＯＮ、４−ＰＣＧ ＯＦＦの電力制御グループ構成を有する。各電力制御グループ構成は、５ミリ秒の等しい持続時間を有する。各々のＰＣＧは、１．２５ミリ秒（つまり、２０ミリ秒につき１６個のＰＣＧ）であるので、新しいＲＣ２１０において、第１の５ミリ秒の間、ユーザ１に関するＰＣＧは、ＯＮであり、ユーザ２に関するＰＣＧは、ＯＦＦであり、第２の５ミリ秒の間、ユーザ１に関するＰＣＧは、ＯＦＦであり、ユーザ２に関するＰＣＧは、ＯＮであり、第３の５ミリ秒の間、ユーザ１に関するＰＣＧは、ＯＮであり、ユーザ２に関するＰＣＧは、ＯＦＦであり、第４の５ミリ秒の間、ユーザ１に関するＰＣＧは、ＯＦＦであり、ユーザ２に関するＰＣＧは、ＯＮである。他の電力制御構成、例えば、各々が１０ミリ秒の等しい持続時間を有する８−ＰＣＧ ＯＮ、８−ＰＣＧ ＯＦＦまたは各々が２．５ミリ秒の等しい持続時間を有する２−ＰＣＧ ＯＮ、２−ＰＣＧ ＯＦＦなどが使用されることができる。図４Ａを参照して以下で説明されるように、ユーザ１のパケットの早期終了は、ユーザ１が、必要な情報を受信するという条件で送信の中間のどこでも起こり得る。
【００３７】
図２Ｂは、新しいＲＣ２１０との比較のために使用される、無線構成４（ＲＣ４）２２０として図示される従来技術送信を図示する例示である。ＲＣ４ ２２０で、W128xおよびW128yとして図示される２つのウォルシュ符号が使用される。２０ミリ秒の持続時間が選ばれるので、２０ミリ秒は、第１のユーザ（ユーザ１）のために使用され、２０ミリ秒は、第２のユーザ（ユーザ２）のために使用される。２つのウォルシュ符号W128xおよびW128yを使用して信号が直交化されているので、２人のユーザは、同じ２０ミリ秒を占有する。したがって、それらが同じ時間ドメインをオーバーラップするとしても識別可能である。図２Ａおよび２Ｂの比較は、新しいＲＣ２１０を使用して、同じ２０ミリ秒の時間ドメインにおける２人のユーザのための送信を可能にすること、およびただ１つのウォルシュ符号を使用することによって２倍の数のユーザが、同じ数のウォルシュ符号および同じ時間フレームを与えられることができる。
【００３８】
図３Ａおよび３Ｂは、実施形態にしたがって、２つの代替的な順方向リンク部分送信パターン３１０および３２０を例示する。電力制御パターン３１０は、２−ＰＣＧ ＯＮ、２−ＰＣＧ ＯＦＦのセグメントを備える構成を有する。各々のセグメントは、２．５ミリ秒の等しい持続時間を有する。電力制御パターン３２０は、１−ＰＣＧ ＯＮ、１−ＰＣＧ ＯＦＦのセグメントを備える構成を有する。各々のセグメントは、１．２５ミリ秒の等しい持続時間を有する。図２Ａにおいて例示される順方向リンク部分送信パターンによるように、同じ数のウォルシュ符号および同じ時間フレームが与えられる従来技術よりも２倍の数のユーザが見込まれる。順方向リンク部分送信パターン３１０および３２０は、同じ２０ミリ秒の時間ドメインにおいておよびただ１つのウォルシュ符号を使用して２人のユーザのための送信を可能にする。
【００３９】
図４Ａは、実施形態にしたがって、改善された符号化利得を達成するためにアクティブセットにおける２つの基地局４０２および４０４からの送信を例示するブロック図である。３８４チャネルビット（０,１,…,３８３）を有するフレーム４１０は、時間ドメイン多重化を使用して、第１の基地局（ＢＳ１）４０２と第２の基地局（ＢＳ２）４０４との間で配信されるコンポーネントに分割される。当該フレームは、ビット０,１,…,９５を備える第１のコンポーネント４２０、ビット９６,…,１９１を備える第２のコンポーネント４２２、ビット１９２,…,２８７を備える第３のコンポーネント４２４、およびビット２８８,…,３８３を備える第４のコンポーネント４２６に時間ドメイン多重化される。ＢＳ１ ４０２は、チャネルビット０,１,…,９５および１９２,…,２８７を備える割り当てられたコンポーネント４２０および４２４であるのに対し、ＢＳ２ ４０４は、チャネルビット９６,…,１９１および２８８,…,３８３を備える割り当てられたコンポーネント４２２および４２６である。フレーム４１０は、完全なメッセージを形成するのに必要とされるデータまたは情報のみならず、冗長的でかつ信頼性を増すためのように他の目的のために使用される他の情報を含む。１つの例において、第１のコンポーネント４２０および第２のコンポーネント４２２は、完全なメッセージを形成するために十分な情報を提供する。第３のコンポーネント４２４および第４のコンポーネント４２６は、信頼性を改善するために使用される冗長的なデータを含む。この例において、移動局がチャネルビット０,１,…,１９１を受信する場合、移動局は、完全なメッセージを形成することができる。
【００４０】
基地局４０２および４０４は、移動局（ＭＳ）１２０によって報告されるパイロット強度測定メッセージ（ＰＳＭＭ）におけるそれらの番号付け（奇数または偶数）に基づく送信パターンを使用する。異なる送信パターンの理由から、ＭＳ１２０は、同時に２つのＢＳ４０２および４０４から情報を受信する。２つの異なる基地局４０２および４０４から同時にフレーム４１０の異なる部分を受信することによって、移動局は、同じ期間において２倍の量の情報を受信することができ、実行可能な早期復号を可能にし、その結果、フレームの送信の早期終了となる。パケットの早期終了は、第１のコンポーネント４２０の中間のどこでも起こり得ることができ、第３のコンポーネント４２４の中間のどこでも起こり得ることができる。例えば、図４Ａは、ＭＳ１２０が、第１および第２のコンポーネントであるチャネルビット０,１,…,１９１を最初に受信し、次に、第３および第４のコンポーネントであるチャネルビット１９２,…,３８３を受信することを例示する。ＭＳは、チャネルビット０,１,…,１９１において全ての必要なフレーム情報が受信されたかを決定することができ、全ての情報が受信されている場合、フレームの送信を終了することができる。いくつかの状況において、第１のチャネルビットのみが完全なメッセージを含み、フレームにおける残りのビットは、必要でない冗長データを送信するために使用される。例えば、完全なメッセージがビット０,１,…,１９１,に含まれ、移動局１２０が全ての０,１,…,１９１ビットを受信する場合、冗長である最後のチャネルビット１９２,…,３８３を送信する必要がなく、移動局１２０は、フレーム４１０の送信の早期終了を基地局４０２および４０４に要求することができる。通信システム１００は、このフレームのビット１９２,…,３８３が必要ないとき、それらを送信する時間を浪費する代わりに他のフレームから他のビットを送信することに移ることができるので、これは、通信システム１００の効率を改善する。
【００４１】
メッセージが基地局４０２および４０４によって送信される前に、基地局制御装置１１８は、メッセージをいくつかのコンポーネントに分割または時間ドメイン多重化する。その後、これらのコンポーネントは、ウォルシュ符号のような拡散符号で符号化され、１０ミリ秒のブロックで送信されることができるサイズに編成されることができる。基地局制御装置１１８はまた、第２のメッセージをいくつかのコンポーネントに分割または時間ドメイン多重化し、同じ拡散符号でそれらのコンポーネントを符号化し、および１０ミリ秒のブロックで送信されることができるサイズにコンポーネントを編成する。第１のメッセージおよび第２のメッセージからの１０ミリ秒のブロックは、次に、２０ミリ秒のブロックを形成するために結合される。２０ミリ秒のブロックの各々は、第１のメッセージからの１つの１０ミリ秒のブロックおよび第２のメッセージからの１つの１０ミリ秒のブロックを含む。１０ミリ秒のブロックは、ブロックを交互に置くことによって、またはデータをインターリーブすることによって結合されることができる。これらの２０ミリ秒のブロックは、次に、ブロックを送信する基地局１１０Ａ−１１０Ｎのうちの２つへ送られる。
【００４２】
２つの基地局が同期されるので、２つの基地局は、ブロックを同時に送信する。移動局は、次に、２つの基地局から２つの２０ミリ秒のブロックを同時に受信する。各々の移動局は、１つのメッセージのみに興味を持っているので、各々の移動局は、２０ミリ秒のブロックから引き抜いた（pulled）２つの１０ミリ秒のブロックのうちの１つのみを復号する。第１のメッセージは、メッセージが受信されていない事態においてのみ使用される冗長データの著しい量を含み得る。非冗長データが移動局によって受信されるならば、この冗長データは、完全なメッセージを形成するために移動局によって必要とされない。したがって、移動局１２０が、冗長的な情報ではない十分な情報を速く受信する場合、移動局１２０は、完全なメッセージを非常に速く得ることができる。さらに、移動局１２０が、完全なメッセージを形成するために必要とされる全てのデータを受信する場合、移動局１２０は、冗長データが必要とされないので冗長データの早期終了を要求することができる。例えば、移動局が第１の基地局から第１の１０ミリ秒のデータブロック、第２の基地局から第２の１０ミリ秒のデータブロックを受信し、これらのブロックの両方が、完全なメッセージを形成するために十分なデータを含む場合、移動局１２０は、完全なメッセージを受信し、メッセージのための冗長データの送信を早期に終了することができることを示す信号を基地局４０２および４０４に送信することができる。冗長データの早期終了は、送信の中間のどこでも起こり得る。
【００４３】
１つの例において、第１のコンポーネント４２０および第２のコンポーネント４２２であるチャネルビット０,１,…,１９１は、完全なメッセージを形成するために結合されることができる。移動局がチャネルビット０,１,…,１９１をいったん受信すると、移動局１２０は、それが十分な情報を有するかを決定することができる。移動局１２０が十分な情報を有する場合、移動局１２０は、このメッセージの送信を終了するための信号を基地局４０２および４０４に送ることができる。第１の基地局４０２からチャネルビット０,１,…,９５を受信し、第２の基地局４０４からチャネルビット９６,…,１９１を受信する移動局１２０は、第１の基地局４０２および第２の基地局４０４の両方とソフト／ソフター・ハンドオフモードにあることができる。移動局１２０は、それのアクティブセットにおいて１つ以上の基地局（４０２および４０４）を有し、それらの基地局（４２０および４０４）から信号を受信するので、移動局は、ソフト／ソフター・ハンドオフモードにある。同様に、第３のコンポーネント４２４および第４のコンポーネント４２６であるチャネルビット１９２,…,３８３は、完全なメッセージの冗長部分を形成するために結合されることができる。第３のコンポーネント４２２および第４のコンポーネント４２６は、第１のコンポーネント４２０および第２のコンポーネント４２２が送信された後に、のちの２０ミリ秒の持続時間の間に基地局４０２および４０４によってそれぞれ送信される。第１の２０ミリ秒の持続時間の間に基地局１２０がチャネルビット０,１,…,１９１（４２０および４２２）を受信した後、移動局は、チャネルビット１９２,…,３８３が必要であるかを決定することができる。これらのチャネルビットが必要でない場合、移動局１２０は、チャネルビット１９２,…,３８３がのちの２０ミリ秒の持続時間において送信されないことを要求することができるので、リソースは、浪費されない。
【００４４】
第２のメッセージはまた、第１のメッセージと結合されることができるので、各々のメッセージの一部は、図４Ｂにおいて例示されるように同じ２０ミリ秒の持続時間の間に２つの基地局４０２および４０４によって送信される。２０ミリ秒の持続時間は、分割されることができるので、１０ミリ秒は、第１のメッセージのために使用され、１０ミリ秒は、第２のメセージのために使用される。例えば、第２のメッセージのためのデータが第１のメッセージのためのフレーム４１０からのデータと結合される場合、第１の基地局は、第１の２０ミリ秒の持続時間の間に第１のコンポーネント４２０および第２のメッセージの一部を送信するだろう。２０ミリ秒の送信は、第１のメッセージからの１０ミリ秒のデータブロックおよび第２のメッセージのための１０ミリ秒のデータブロックを含むことができる。これは、次に、２０ミリ秒のデータブロックを形成するために結合される。１０ミリ秒のデータブロックは、データブロックを交互に置くことによって、またはデータをインターリーブすることによって結合されることができる。２つのメッセージは、２人のユーザを対象とすることができるので、ユーザ１は、第１のメッセージの意図された受信者であり、ユーザ２は、第２のメッセージの意図された受信者である。この例において、第１の移動局および第２の移動局は、２つの基地局４０２および４０４から１０ミリ秒のデータブロックをそれぞれ受信する。両方の移動局は、各々の基地局からのデータを結合し、それらが、それらのそれぞれの完全なメッセージを受信したかを決定する。移動局のいずれか１つが、完全なメッセージを受信し、これ以上のデータを受信する必要がないと決定する場合、その移動局は、基地局が、それのメッセージに関する必要なデータを送信することを停止することができることを示す信号を基地局に送信する。データを送信することを停止するよう基地局に命令する信号を基地局がいったん受信したら、基地局は、どの時点でもデータを送信することを停止することができる。
【００４５】
図４Ｂは、２つの基地局４０２および４０４から２つの移動局１２０Ａおよび１２０Ｂへの送信を例示するブロック図である。３８４チャネルビット（Ａ０,Ａ１,…,Ａ３８３）および（Ｂ０,Ｂ１,…,Ｂ３８３）をそれぞれ有するフレーム４１０Ａおよび４１０Ｂは、最初に、第１の基地局（ＢＳ１）４０２と第２の基地局（ＢＳ２）４０４との間で配信されるコンポーネントに時間ドメイン多重化を使用してそれぞれ分割される。フレームは、ビット（Ａ０,Ａ１,…,Ａ９５）および（Ｂ０,Ｂ１,…,Ｂ９５）をそれぞれ備える第１のコンポーネント４２０Ａおよび４２０Ｂ、ビット（Ａ９６,…,Ａ１９１）および（Ｂ９６,…,Ｂ１９１）をそれぞれ備える第２のコンポーネント４２２Ａおよび４２２Ｂ、ビット（Ａ１９２,…,Ａ２８７）および（Ｂ１９２,…,Ｂ２８７）をそれぞれ備える第３のコンポーネント４２４Ａおよび４２４Ｂ、およびビット（Ａ２８８,…,Ａ３８３）および（Ｂ２８８,…,Ｂ３８３）をそれぞれ備える第４のコンポーネント４２６Ａおよび４２６Ｂに時間ドメイン多重化される。ＢＳ１ ４０２は、コンポーネント４２０Ａ、４２０Ｂ、４２４Ａおよび４２４Ｂを割り当てられるのに対し、ＢＳ２ ４０４は、コンポーネント４２２Ａ、４２２Ｂ、４２６Ａおよび４２６Ｂを割り当てられる。フレーム４１０Ａおよび４１０Ｂの各々は、完全な独立のメッセージを形成するために必要であるデータまたは情報のみならず、冗長的でありかつ信頼性を増すためのように他の目的のために使用される他の情報を含む。１つの例において、第１のコンポーネント４２０Ａおよび第２のコンポーネント４２２Ａは、完全な第１のメッセージを形成するために十分な情報を提供し、第１のコンポーネント４２０Ｂおよび第２のコンポーネント４２２Ｂは、完全な第２のメッセージを形成するために十分な情報を提供する。コンポーネント４２４Ａ、４２４Ｂ、４２６Ａ、４２６Ｂは、信頼性を増すために使用される冗長データを含む。この事例において、第１の移動局１２０Ａがコンポーネント４２０Ａおよび４２２Ａを受信する場合、第１の移動局１２０Ａは、完全な第１のメッセージを形成することができる。同様に、第２の移動局１２０Ｂがコンポーネント４２０Ｂおよび４２２Ｂを受信する場合、第２の移動局１２０Ｂは、完全な第２のメッセージを形成することができる。移動局１２０Ａまたは１２０Ｂのうちのいずれか１つが、完全なメッセージを受信し、これ以上のデータを受信する必要がない場合、その移動局１２０Ａまたは１２０Ｂは、基地局４０２および４０４がそれのメッセージについて必要なデータを送信することを停止することができることを示す信号を基地局４０２および４０４に送る。データを送信することを停止するよう基地局に命令する信号を基地局がいったん受信すると、基地局は、どの時点でもデータを送信することを停止することができる。移動局１２０Ａおよび１２０Ｂのアクティブセットにおいてそれらの両方が１つ以上の基地局（４０２および４０４）を有し、両方がそれらの基地局（４２０および４０４）から信号を受信するので、移動局１２０Ａおよび１２０Ｂは、両方ともソフト／ソフター・ハンドオフモードにある。
【００４６】
図５は、改善された符号化利得を達成するためにアクティブセットにおけるＮ個の基地局５０２、５０４、…、５０６からの一般化された送信を例示する。Ｌチャネルビット（０,１,…,Ｌ−１）を有するフレーム５１０は、第１の基地局（ＢＳ１）５０２、第２の基地局（ＢＳ２）５０４から、第Ｎの基地局（ＢＳＮ）までとして識別されるＮ個の基地局の間で分配されるコンポーネントに時間ドメイン多重化を使用して分割される。フレーム５１０は、ビット0,1,…,L/(2*N)-1を備える１番目のコンポーネント５２０、ビットL/2,…,L/2(1+1/N)-1を備える２番目のコンポーネント５２２、ビットL/(2*N),…,L/Nを備える３番目のコンポーネント５２４、ビット(1+1/N)*L/2,…,(1+2/N)*L/2-1を備える４番目のコンポーネント５２６、ビットL/2*(1-1/N),…,L/2-1を備える(２Ｎ−１)番目のコンポーネント２５８、およびビット(2-1/N)*L/2,…,L-1を備える２Ｎ番目のコンポーネント５３０に時間ドメイン多重化される。Ｎ個の送信パターンは、アクティブセットにおける基地局５０２、５０４、…、５０６のうちの１つに各自割り当てられることにより定義されることができる。図５は、Ｌが2*Nによって分割される事例を例示する。
【００４７】
図５において、ＢＳ１ ５０２は、ビット0,1,…,L/(2*N)-1を備える１番目のコンポーネント５２０およびビットL/2,…,L/2(1+1/N)-1を備える２番目のコンポーネント５２２を割り当てられ、ＢＳ２ ５０４は、ビットL/(2*N),…,L/Nを備える３番目のコンポーネント５２４およびビット(1+1/N)*L/2,…,(1+2/N)*L/2-1を備える４番目のコンポーネント526を割り当てられ、およびＢＳＮ ５０６は、ビットL/2*(1-1/N),…,L/2-1を備える(２Ｎ−１)番目のコンポーネント５２８およびビット(2-1/N)*L/2,…,L-1を備える２Ｎ番目のコンポーネント５３０である。セクタは、移動局ＭＳ１２０によって報告されるＰＳＭＭにおけるそれらの番号付け（奇数または偶数）に基づく送信パターンを使用する。異なる送信パターンの理由から、ＭＳ１２０は、Ｎ個の基地局５０２、５０４、５０６から同時に追加の情報を受信し、実行可能な早期復号化を可能にし、その結果、パケットまたはフレームの早期終了となる。これ以上の情報が必要でない十分な情報が受信されたという条件でパケットの送信の中間のどこでもパケットの早期終了が起こり得る。例えば、図５は、ＭＳ１２０が、最初に、第１のコンポーネントであるチャネルビット0,1,…,L/2-1を受信し、次に、のちのコンポーネントであるチャネルビットL/2,…,L-1を受信することを例示する。ＭＳ１２０は、チャネルビット0,1,…,L/2-1を受信するとすぐに、復号を開始することができるので、ＭＳ１２０は、完全なメッセージを形成するために必要なすべてのフレーム情報がチャネルビット0,1,…,L/2-1において受信されたかを決定することができ、完全なメッセージのための情報のすべてが受信された場合、フレームデータの送信を終了することができる。送信の部分は、Ｎが増加することにより縮小し得るので、より多くのチャネル符号の再使用が達成されることができる。部分が１／２で維持される場合、より多くの符号化利得が達成されることができる。これは、フレームのより多くの早期復号化につながる。他の実施形態において、アクティブセットのサイズが１である場合、部分送信の代わりに全部のフレーム移行が使用される。
【００４８】
図６は、ＣＤＭＡ基地局４０２および４０４の少なくとも１つによって生成される順方向リンクチャネル信号を処理するために移動局１２０によって使用されるプロセス６００を例示するフローチャートである。プロセス６００は、オペレーション６０５において、移動局１２０が２つの基地局４０２および４０４から入力信号またはパケットを受信するように設定されることにより開始する。オペレーション６１０において、移動局１２０は、第１の基地局４０２によって送信される第１の信号を受信する。第１の信号は、第１のコンポーネント４２０および第３のコンポーネント４２４を有する。第１のコンポーネント４２０および第３のコンポーネント４２４の両方は、拡散符号を使用して符号化されている。第１のコンポーネント４２０は、第３のコンポーネント４２４とともに時間ドメイン多重化される。次に、オペレーション６１５において、移動局１２０は、第２の基地局４０４によって送信される第２の信号を受信する。第２の信号は、第２のコンポーネント４２２および第４のコンポーネント４２６を有する。第２のコンポーネント４２４および第４のコンポーネント４２６の両方はまた、拡散符号を使用して符号化されている。第２のコンポーネント４２２は、第４のコンポーネント４２６とともに時間ドメイン多重化される。オペレーション６２０において、移動局１２０は、第１のコンポーネント４２０および第２のコンポーネント４２２を復号する。第１のコンポーネント４２０は、第２のコンポーネント４２２と異なってもよく、第３のコンポーネント４２４は、第４のコンポーネント４２６と異なってもよい。第１のコンポーネント４２０および第２のコンポーネント４２２は、完全なメッセージを形成するために結合されることができる。次に、オペレーション６２５において、完全なメッセージが移動局１２０によって受信されたかどうかの決定がなされる。当該決定が、完全なメッセージが移動局１２０によって受信されたことである場合、オペレーション６３０において、移動局１２０は、メッセージが既に受信されているのでメッセージを送信することを停止するために基地局４０２および４０４に信号を送信する。オペレーション６２５において、当該決定が、完全なメッセージが受信されていないことである場合、プロセス６００は、オペレーション６１０に戻り継続する。オペレーション６３５において、完全なメッセージが受信され、移動局１２０が他のメッセージを受信する用意ができているとき、プロセス６００は、終了する。
【００４９】
図７は、順方向リンクチャネル信号を生成するために基地局４０２および４０４によって使用されるプロセス７００を例示するフローチャートである。当該プロセスは、オペレーション７０５において、基地局４０２および４０４が初期化され、パケットまたはフレームのコンポーネントを時間ドメイン多重化することによってパケットまたはフレームをコンポーネントに分割する用意ができているとき開始する。オペレーション７１０において、第１のフレームは、時間ドメイン多重化される、第１のコンポーネントおよび第２のコンポーネントを含むことができるコンポーネントに分割される。オペレーション７１５において、第２のフレームは、時間ドメイン多重化されることができる、第３のコンポーネントおよび第４のコンポーネントを含むコンポーネントに分割される。次に、オペレーション７２０において、第１のコンポーネント、第２のコンポーネント、第３のコンポーネント、および第４のコンポーネントはまた、拡散符号とともに符号化される。オペレーション７２５において、第１の基地局４０２は、第１のコンポーネント４２０および第３のコンポーネント４２４を含む第１の信号を送信する。各々は、拡散符号を使用して符号化されている。第１のコンポーネント４２０は、第３のコンポーネント４２４とともに時間ドメイン多重化される。オペレーション７３０において、第２の基地局４０４は、第２のコンポーネント４２２および第４のコンポーネント４２６を含む第２の信号を送信する。各々は、同じ拡散符号を使用して符号化されている。第２のコンポーネント４２２は、第４のコンポーネント４２６とともに時間ドメイン多重化される。次に、オペレーション７３５において、基地局４０２および４０４が、受信されたメッセージが完全なメッセージであることを示し、フレームのためのデータを送信することを停止することを示すメッセージを移動局１２０から受信したかどうかの決定がなされる。当該決定が、送信を停止するためのメッセージが基地局４０２および４０４によって受信されたことである場合、次に、オペレーション７４０において、基地局４０２および４０４は、メッセージを送信することを停止する。基地局が、データを送信することを停止するよう命令する信号をいったん受信したら、基地局は、どの時点でもデータを送信することを停止することができる。パケットの早期終了は、第１のコンポーネント４２０の中間のどこでも、および第３のコンポーネント４２４の中間のどこでも起こり得る。オペレーション７３５において、当該決定が、送信することを停止するためのメッセージが受信されていないことである場合、プロセス７００は、オペレーション７２５に戻り継続する。オペレーション７４５において、送信が停止し、基地局４０２および４０４が別の信号またはメッセージの送信を待つ場合、プロセス７００は、終了する。
【００５０】
図８は、４個のフレーム８０２、８０４、８０６、および８０８によりＣＤＭＡ２０００およびＷＣＤＭＡダウンリンク上で使用される逆方向リンク電力制御を例示するブロック図である。フレーム８０２および８０６は、基地局１１０から移動局１２０への送信ダウンリンクを図示する。フレーム８０４および８０８は、移動局１２０から基地局１１０への送信アップリンクを図示する。フレーム８０２および８０６は、順方向基本チャネル（Ｆ−ＦＣＨ）を使用してＢＳ１１０からＭＳ１２０へ送信される電力制御グループ（ＰＣＧ）のフレームを例示するが、フレーム８０４および８０８は、逆方向基本チャネル（Ｒ−ＦＣＨ）を使用してＭＳ１２０からＢＳ１１０へ送信されるＰＣＧのフレームを例示する。ＰＣＧは、電力制御コマンドの意図された受信者に送信電力を変更するようコマンドする電力制御コマンドを含むことができる。フレーム８０４および８０８は、フレーム８０２および８０６のそれぞれから伝搬遅延８２０だけ時間としてオフセットされる。基本チャネルは、音声信号を搬送するために使用される物理チャネルである。フレーム８０２および８０６において、ＢＳ１１０は、所定の量だけ移動局の送信電力を変更するようＭＳ１２０にコマンドする電力制御コマンド（ＰＣＧの一部である）をＭＳ１２０に送信する。ＢＳ１１０によって送信される電力制御コマンドは、ＢＳ１１０が、最小電力レベル（つまり、最小品質）を有するＭＳ１２０から信号を受信することを保証しつつ、同時に、ＭＳ１２０の電力使用を最小化するように使用されることができる。
【００５１】
フレーム８０２および８０４は、非ヌル・レートでのＢＳ１１０からＭＳ１２０への電力制御コマンドの送信を例示する。フレーム８０２および８０４（両方とも２０ミリ秒のフレームである）の各々は、１６個のＰＣＧを含む。これは、１．２５ミリ秒の長さであり、ＰＣＧ０,１,２,…,１５と識別される。フレーム８０２におけるＰＣＧ１５の一部である電力制御コマンドは、ＢＳ１１０によってＭＳ１２０へ送信される。ＭＳ１２０は、フレーム８０４のＰＣＧ０における電力制御コマンドを受信する。移動局１２０は、次に、電力制御コマンドにしたがってそれの送信電力を調節するので、フレーム８０４の次の電力制御グループ（ＰＣＧ１）の移動局の送信電力は、受信電力制御コマンドにしたがって調節される。例えば、ＰＣＧ１５からの電力制御コマンドは、ＢＳ１１０によって受信される信号が低すぎる場合、１デシベルずつそれの電力出力を増すよう移動局１２０に命令するだろう。代替的に、ＰＣＧ１５からの電力制御コマンドは、ＢＳ１１０によって受信される信号が高すぎる場合、１デシベルずつそれの電力出力を減らすようＭＳ１２０に命令することができる。ＢＳ１１０はまた、フレーム８０２のＰＣＧ１、３、および５から移動局のフレーム８０４のＰＣＧ２、４、および６にそれぞれ電力制御コマンドを送信する。例示では図示されていないが、ＢＳ１１０はまた、フレーム８０２のＰＣＧ７、９、１１、および１３から移動局のフレーム８０４のＰＣＧ８、１０、１２、および１４に電力制御コマンドを送信する。フレーム８０４からＰＣＧ２、４、および６において電力制御コマンドをＭＳ１２０が受信するとき、ＭＳ１２０は、フレーム８０４のＰＣＧ３、５、および７におけるそれの送信電力を調節する。例えば、フレーム８０４のＰＣＧ０における電力制御コマンドをＭＳ１２０が受信するとき、フレーム８０２のＰＣＧ１５におけるＢＳ１１０から受信される電力制御コマンドにしたがって、ＭＳ１２０は、フレーム８０４のＰＣＧ１および２に関するそれの送信電力を調節する。フレーム８０４のＰＣＧ２における電力制御コマンドをＭＳ１２０が受信するとき、フレーム８０２のＰＣＧ１におけるＢＳ１１０から受信される電力制御コマンドにしたがって、ＭＳ１２０は、フレーム８０４のＰＣＧ３および４に関するそれの送信電力を調節する。フレーム８０４のＰＣＧ４における電力制御コマンドをＭＳ１２０が受信するとき、フレーム８０２のＰＣＧ３におけるＢＳ１１０から受信される電力制御コマンドにしたがって、ＭＳ１２０は、フレーム８０４のＰＣＧ５および６に関するそれの送信電力を調節する。フレーム８０４のＰＣＧ６における電力制御コマンドをＭＳ１２０が受信するとき、フレーム８０２のＰＣＧ５におけるＢＳ１１０から受信される電力制御コマンドにしたがって、ＭＳ１２０は、フレーム８０４のＰＣＧ７および８に関するそれの送信電力を調節する。
【００５２】
フレーム８０２および８０４は、２０ミリ秒のフレームの間にＢＳ１１０からＭＳ１２０へ電力制御コマンドが８回送信されることを示す。フレーム８０２はまた、組み合わされたPCG構成を例示する。ここで、奇数のＰＣＧ１、３、５、…、１５が網掛けされ、偶数ＰＣＧ０、２、４、…、１４は、網掛けされていない。ＢＳ１１０から２つまたは複数の移動局１２０Ａまたは１２０Ｂへ電力制御コマンドを送信するために、組み合わされたＰＣＧ構成が使用されることができる。例えば、奇数ＰＣＧ１、３、５、…、１５は、第１の移動局１２０Ａへ電力制御コマンドのみならず他の情報を送信するために使用されることができるのに対し、偶数ＰＣＧ０、２、４、…、１４は、第２の移動局１２０Ｂへ電力制御コマンドのみならず他のコマンドを送信するために使用されることができる。奇数および偶数のＰＣＧ上で送信される信号は、図２−７を参照して上で説明されたように同じウォルシュ符号を共有することができる。
【００５３】
フレーム８０６および８０８は、ヌルレートでのＢＳ１１０からＭＳ１２０への電力制御コマンドの送信を例示する。フレーム８０６および８０８（両方とも２０ミリ秒のフレームである）の各々は、１．２５ミリ秒の長さであって、０、１、２、…、１５と識別される１６個のＰＣＧを含む。フレーム８０６からのＰＣＧ１の一部である電力制御コマンドは、ＢＳ１１０によってＭＳ１２０へ送信される。ＭＳ１２０は、フレーム８０８のＰＣＧ２において電力制御コマンドを受信する。移動局１２０は、次に、電力制御コマンドにしたがってそれの送信電力を調節するので、フレーム８０８の次の電力制御グループ（ＰＣＧ３）の移動局１２０の送信電力は、受信電力制御コマンドにしたがって調節される。例えば、ＰＣＧ１からの電力制御コマンドは、ＢＳ１１０によって受信された信号が低すぎる場合、１デシベルずつそれの電力出力を増すよう移動局１２０に命令するだろう。代替的に、ＰＣＧ１からの電力制御コマンドは、ＢＳ１１０によって受信される信号が高すぎる場合、１デシベルずつそれの電力出力を減らすようＭＳ１２０に命令することができる。ＢＳ１１０はまた、フレーム８０６のＰＣＧ５から移動局のフレーム８０８のＰＣＧ６へ電力制御コマンドを送信する。例示において図示されていないが、ＢＳ１１０はまた、フレーム８０６のＰＣＧ９および１３から移動局１２０のフレーム８０８のＰＣＧ１０および１４へ電力制御コマンドを送信する。フレーム８０８のＰＣＧ２および６において電力制御コマンドをＭＳ１２０が受信するとき、ＭＳ１２０は、フレーム８０８のＰＣＧ３および７におけるそれの送信電力をそれぞれ調節する。例えば、フレーム８０８のＰＣＧ２における電力制御コマンドをＭＳ１２０が受信するとき、フレーム８０６のＰＣＧ１におけるＢＳ１１０から受信される電力制御コマンドにしたがって、ＭＳ１２０は、フレーム８０８のＰＣＧ３、４、５および６に関するそれの送信電力を調節する。ある例において、ＭＳ１２０は、送信すべき情報がほとんどないか、または全くないとき、半デューティーサイクルでのみ送信されるように構成されることができる。この場合、ＰＣＧの半分は、電力を全く送信しないだろう。フレーム８０８は、半デューティーサイクル送信を例示する。フレーム８０８において、網掛けされたＰＣＧ１５、０、３、４、７、８、１１、および１２は、電力を送信するのに対し、網掛けされていないＰＣＧ１、２、５、６、９、１０、１３、および１４は、電力を送信しない。この事例において、フレーム８０８のＰＣＧ２における電力制御コマンドをＭＳ１２０が受信するとき、ＭＳ１２０は、フレーム８０８のＰＣＧ３および４に関するそれの送信電力を調節するが、ＰＣＧ５および６において送信される電力がないので、ＰＣＧ５および６では何もしない。
【００５４】
フレーム８０６および８０８は、２０ミリ秒のフレームの間にＢＳ １１０からＭＳ １２０へ電力制御コマンドが４回送信されることを図示する。フレーム８０２と同様に、フレーム８０６はまた、組み合わされたＰＣＧ構成を例示する。ここで、奇数のＰＣＧ１、３、５、…、１５は、網掛けされ、偶数のＰＣＧ０、２、４、…、１４は、網掛けされていない。組み合わされたＰＣＧ構成は、ＢＳ１１０から２つまたは複数の移動局１２０Ａ−１２０Ｂに電力制御コマンドのみならず他の情報を送信するために使用されることができる。さらに、フレーム８０２と同様に、図２−７を参照して上で説明されたように、フレーム８０６において奇数および偶数で番号付けされたＰＣＧ上で送信される信号は、同じウォルシュ符号を共有することができる。
【００５５】
図９は、スマート・ブランキングが使用禁止である逆方向リンク電力制御において使用されるアプローチを例示するブロック図である。移動局１２０が、送信するためのサウンドを検出しないとき、移動局１２０は、半分の時間（つまり、半デューティーサイクル）のみを送信することで、送信の間に使用される電力を低減するためにスマート・ブランキングを使用することができる。例えば、移動局１２０を使用する人が話しておらず、聞いているだけの場合、移動局１２０は、送信するための情報がないので、どの情報も送信する必要はない。送信するための情報がないとき、移動局１２０が、この期間の間に送信の量を低減する場合、エネルギーが保全されることができる。したがって、スマート・ブランキングが使用可能である場合、移動局１２０は、半デューティーサイクルまたは８ＰＣＧでのみ送信されるのに対し、スマート・ブランキングが使用禁止である場合、移動局１２０は、全部のデューティーサイクルでまたはすべての１６個のＰＣＧの間に送信する。
【００５６】
フレーム９０２および９０４は、スマート・ブランキングが使用禁止である非ヌルレートでのＭＳ１２０からＢＳ１１０への電力制御コマンドの送信を例示する。フレーム９０２は、ＢＳ１１０からＭＳ１２０へ送信されるＰＣＧ０、１、２、…、１５を含む。フレーム９０４は、ＭＳ１２０からＢＳ１１０へ送信される電力制御コマンド９１２Ａ−９１２Ｅを備えるＰＣＧ０、１、２、…、１５を含む。フレーム９０４は、フレーム９０２からの伝搬遅延９２０だけ時間としてオフセットされる。ＭＳ１２０は、パイロットチャネルを介してＢＳ１１０に信号を送信する。ＭＳ１２０は、所定の量だけＢＳ１１０の送信電力を変更するようにＢＳ１１０にコマンドする電力制御コマンド９１２Ａ−９１２ＥをＢＳ１１０に送信する。１つの実施形態において、ＭＳ１２０によって送信される電力制御コマンド９１２Ａ−９１２Ｅは、ＭＳ１２０が最小電力レベル（つまり、最小品質）を有するＢＳ１１０から信号を受信しつつ、同時に、電力使用を最小化することを補償するために使用される。電力制御コマンド９１２Ａ−９１２Ｅの各々は、電力制御グループの最後に送信されているように図示されている。
【００５７】
フレーム９０２および９０４（両方とも２０ミリ秒のフレームである）の各々は、１．２５ミリ秒の長さであり、０,１,２,…,１５として識別される。電力制御コマンド９１２Ａは、ＭＳ１２０によってＢＳ１１０に送信される。ＢＳ１１０は、フレーム９０２のＰＣＧ０における電力制御コマンドを受信する。その後、基地局１１０は、電力制御コマンドにしたがってそれの送信電力を調節するので、フレーム９０２の次の電力制御グループ（ＰＣＧ１）の基地局１１０の送信電力は、受信された電力制御コマンドにしたがって調節される。例えば、ＭＳ１２０によって受信される信号が低すぎる場合、電力制御コマンド９１２Ａは、１デシベルずつそれの電力出力を増すよう基地局１１０に命令するだろう。代替的に、ＭＳ１２０によって受信される信号が高すぎる場合、電力制御コマンド９１２Ａは、１デシベルずつそれの電力出力を減らすようＢＳ１１０に命令することができる。ＭＳ１２０はまた、フレーム９０４における電力制御コマンド９１２Ｂ−９１２Ｅを基地局のフレーム９０２におけるＰＣＧ２,４,６および８（８は図示されていない）へそれぞれ送信する。例示において図示されていないが、ＢＳ１１０はまた、フレーム９０４の電力制御コマンド９１２Ｆ−９１２Ｈをフレーム９０２のＰＣＧ１０,１２および１４へ送信する。
【００５８】
ＢＳ１１０が、フレーム９０２のＰＣＧ０,２,４および６における電力制御コマンドを受信するとき、ＢＳ１１０は、フレーム９０２のＰＣＧ１,３,５および７におけるそれの送信電力を調節する。例えば、ＢＳ１１０がフレーム９０２のＰＣＧ０における電力制御コマンド９１２Ａを受信するとき、ＢＳ１１０は、ＭＳ１２０から受信される電力制御コマンド９１２Ａにしたがって、フレーム９０２のＰＣＧ１および２に関するそれの送信電力を調節する。ＢＳ１１０がフレーム９０２のＰＣＧ２における電力制御コマンド９１２Ｂを受信するとき、ＭＳ１２０から受信される電力制御コマンド９１２Ｂに従って、ＢＳ１１０は、フレーム９０２のＰＣＧ３および４に関するそれの送信電力を調節する。ＢＳ１１０は、フレーム９０２のＰＣＧ４における電力制御コマンド９１２Ｃを受信するとき、ＭＳ１２０から受信される電力制御コマンド９１２Ｃに従って、ＢＳ１１０は、フレーム９０２のＰＣＧ５および６に関するそれの送信電力を調節する。ＢＳ １１０がフレーム９０２のＰＣＧ６における電力制御コマンド９１２Ｄを受信するとき、ＭＳ１２０から受信される電力制御コマンド９１２Ｄにしたがって、ＢＳ１１０は、フレーム９０２のＰＣＧ７および８に関するそれの送信電力を調節する。ＢＳ１１０がフレーム９０２のＰＣＧ８における電力制御コマンド９１２Ｅを受信するとき、ＭＳ１２０から受信される電力制御コマンド９１２Ｅにしたがって、ＢＳ１１０は、フレーム９０２のＰＣＧ９および１０に関するそれの送信電力を調節する。フレーム９０２および９０４は、２０ミリ秒のフレームの間にＭＳ１２０からＢＳ１１０へ電力制御コマンド９１２Ａ−９１２Ｅが８回送信されることを示す。
【００５９】
図１０は、スマート・ブランキングが使用可能である逆方向リンク電力制御のためのアプローチを例示するブロック図である。図９を参照して説明されたように、スマート・ブランキングが使用可能であるので、移動局１２０が、送信するための情報がないと気づいたとき、移動局１２０は、半デューティーサイクルで（つまり、１６個のＰＣＧの半分の間に）送信し、移動局１２０が、誰かが話していることに気づいたとき、全部のデューティーサイクルで（つまり、１６個のＰＣＧの全ての間に）送信する。フレーム１００２および１００４は、移動局１２０がフルデューティーサイクルで送信する一方でスマート・ブランキングが使用可能である場合のシナリオを図示する。フレーム１００６および１００８は、移動局１２０が、スマート・ブランキング半デューティーサイクルで送信する一方でさらにスマート・ブランキングが使用可能な場合のシナリオを図示する。
【００６０】
フレーム１００２および１００４は、非ヌルレートでのＭＳ１２０からＢＳ１１０への電力制御コマンドの送信を例示するのに対し、フレーム１００６および１００８は、ヌルレートでのＭＳ１２０からＢＳ１１０への電力制御コマンドの送信を例示する。フレーム１００２、１００４、１００６および１００８（すべて２０ミリ秒のフレームである）の各々は、１．２５ミリ秒の長さであり、０,１,２,…,１５として識別される。フレーム１００２および１００６は、ＢＳ１１０からＭＳ１２０へ送信されるＰＣＧ０,１,２,…,１５を含む。フレーム１００４および１００８はまた、ＭＳ１２０からＢＳ１１０へ送信される、電力制御コマンド１０１２Ａ−１０１２Ｃおよび１０１２Ｄ−１０１２Ｅをそれぞれ備える１６ＰＣＧを含む。フレーム１００４および１００８は、フレーム１００２および１００４から伝搬遅延１０２０の時間だけそれぞれオフセットである。ＭＳ１２０は、パイロットチャネルを介してＢＳ１１０へ信号を送信する。ＭＳ１２０は、ＢＳ１１０が、所定の量だけ送信電力を変更するようにＢＳ１１０に命令する電力制御コマンド１０１２Ａ−１０１２Ｅを送信する。１つの実施形態において、ＭＳ１２０によって送信される電力制御コマンド１０１２Ａ−１０１２Ｅは、ＭＳ１２０が、最小電力レベル（つまり、最小品質）を有するＢＳ１１０から信号を受信しつつ、同時に、電力使用を最小化することを補償するために使用される。電力制御コマンド１０１２Ａ−１０１２Ｅの各々は、電力制御グループの最後に送信されるように図示されている。
【００６１】
電力制御コマンド１０１２Ａおよび１０１２Ｄは、ＢＳ１１０へＭＳ１２０によって送信される。ＢＳ１１０は、フレーム１００２および１００６のＰＣＧ０における電力制御コマンドをそれぞれ受信する。その後、基地局１１０は、電力制御コマンドにしたがってそれの送信電力を調節するので、フレーム１００２および１００６の次の電力制御グループ（ＰＣＧ１）の基地局の送信電力は、受信された電力制御コマンドにしたがって調節される。例えば、ＭＳ１２０によって受信された信号が低すぎる場合、電力制御コマンド１０１２Ａおよび１０１２Ｃは、１デシベルずつそれの電力出力を増すように命令する。代替的に、ＭＳ１２０によって受信された信号が高すぎる場合、電力制御コマンド１０１２Ａおよび１０１２Ｃは、１デシベルずつそれの電力出力を減らすように命令することができる。ＭＳ１２０はまた、フレーム１００４および１００８の電力制御コマンド１０１２Ｂ−１０１２Ｃおよび１０１２Ｅ−１０１２Ｆをそれぞれフレーム１００２および１００６の基地局のＰＣＧ４および８（８は図示されていない）へそれぞれ送信する。例示において図示されていないが、ＢＳ１１０はまた、フレーム１００４および１００８の電力制御コマンド１０１２Ｃおよび１０１２Ｅをそれぞれフレーム１００２および１００６のＰＣＧ１２へそれぞれ送信する。ＢＳ１１０がフレーム１００２および１００６のＰＣＧ０、４、および８において電力制御コマンドを受信するとき、ＢＳ１１０は、フレーム１００２および１００６のＰＣＧ１、５、および９におけるそれの送信電力を調節する。例えば、ＢＳ１１０がフレーム１００２および１００６のＰＣＧ０における電力制御コマンド１０１２Ａおよび１０１２Ｄをそれぞれ受信するとき、ＭＳ１２０から受信される電力制御コマンド１０１２Ａおよび１０１２Ｃにそれぞれしたがって、ＢＳ１１０は、フレーム１００２および１００６のＰＣＧ１、２、３、および４に関するそれの送信電力を調節する。ＢＳ１１０がフレーム１００２および１００６のＰＣＧ４において電力制御コマンド１０１２Ｂおよび１０１２Ｄをそれぞれ受信するとき、ＭＳ１２０から受信される電力制御コマンド１０１２Ｂおよび１０１２Ｄにそれぞれしたがって、ＢＳ１１０は、フレーム１００２および１００６のＰＣＧ５、６、７、および８に関するそれの送信電力をそれぞれ調節する。ＢＳ１１０は、フレーム１００２および１００６のＰＣＧ８における電力制御コマンド１０１２Ｃおよび１０１２Ｅを受信するとき、ＭＳ１２０から受信される電力制御コマンド１０１２Ｃおよび１０１２Ｅにそれぞれしたがって、ＢＳ１１０は、フレーム１００２および１００６のＰＣＧ９、１０、１１、および１２に関するそれの送信電力を調節する。フレーム１００２、１００４、１００６、および１００８は、２０ミリ秒のフレームの間にＭＳ１２０からＢＳ１１０へ電力制御コマンド１０１２Ａ−１０１２Ｅが４回送信されることを図示する。
【００６２】
ここにおいて使用されるように、移動局（ＭＳ）は、セルラーまたは他のワイヤレス通信デバイス、パーソナル通信システム（ＰＣＳ）デバイス、パーソナル・ナビゲーションデバイス（ＰＮＤ）、パーソナル情報管理（ＰＩＭ）、携帯情報端末（ＰＤＡ）、ラップトップまたは他の適切なデバイスであって、ワイヤレス通信および／またはナビゲーション信号を受信することができるデバイスのようなデバイスを指す。用語「移動局」は、（衛星信号受信者、支援データ受信者、および/またはデバイスにおいてまたはＰＮＤにおいて生じる位置関係処理かどうかに関わらず）短距離無線、赤外線、有線接続、または他の接続のようなパーソナル・ナビゲーションデバイス（ＰＮＤ）と通信するデバイスを含む。さらに、「移動局」は、インターネット、ＷｉＦｉ、または他のネットワークのようなサーバと通信することができるワイヤレス通信デバイス、コンピュータ、ラップトップなどを含むすべてのデバイスを含み、衛星信号受信者、支援データ受信者、および/または位置に関するかどうかに関わらず処理は、デバイスにおいて、サーバにおいて、またはネットワークと関連する他のデバイスにおいて生じる。上記のもののいかなる実施可能な組み合わせも、「移動局」とみなされる。
【００６３】
本明細書における開示と関連して説明される方法またはアルゴリズムのブロックは、ハードウェアにおいて、プロセッサによって実行されるソフトウェアモジュールにおいて、または２つの組み合わせにおいて直接実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスター、ハードディスク、リムーバブルディスク、ＣＤ−ＲＯＭ、または当該技術分野において既知の記録媒体の任意の他の形式に存在することができる。典型的な記録媒体は、プロセッサが、記録媒体から情報を読み出すことができ、記録媒体へ情報を書き込むことができるようにプロセッサに結合される。代替的に、記録媒体は、プロセッサに統合されていてもよい。プロセッサおよび記録媒体は、ＡＳＩＣに存在してもよい。ＡＳＩＣは、ユーザ端末に存在してもよい。代替的に、プロセッサおよび記録媒体は、ユーザ端末内の離散コンポーネントとして存在してもよい。
【００６４】
本明細書において説明される方法は、アプリケーションに依存して様々な手段によって実装されることができる。例えば、これらの方法は、ハードウェア、ファームウェア、ソフトウェア、またはそれらのものの任意の組み合わせにおいて実装されてもよい。ハードウェアを含む実装の場合、処理ユニットは、１つまたは複数の特定用途集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブル・ゲートアレー（ＦＰＧＡ）、プロセッサ、コントローラ、マイクロコントローラ、マイクロプロセッサ、エレクトロニックデバイス、本明細書において説明された機能を実施するように設計された他の電子ユニット、またはそれらのものの組み合わせ内で実装されることができる。
【００６５】
ファームウェアおよび/またはソフトウェアを含む実装の場合、当該方法は、本明細書において説明された機能を実行するモジュール（例えば、手順、機能など）により実装されることができる。命令を明白に具体化する任意の機械可読媒体は、本明細書において説明された方法を実装することにおいて使用されることができる。例えば、ソフトウェアコードは、メモリに記録され、プロセッサユニットによって実行されることができる。メモリは、プロセッサユニット内で、またはプロセッサユニットの外部で実装されることができる。本明細書において使用されるように、用語「メモリ」は、長期間、短期間、揮発性、不揮発性、または他のメモリのうちのいずれかのタイプのことを指し、任意の特定のタイプのメモリまたはいくつかのメモリ、またはメモリが記録される際のメディアタイプに制限されない。
【００６６】
ファームウェアおよび/またはソフトウェアにおいて実装される場合、当該機能は、コンピュータ可読媒体上の１つまたは複数の命令またはコードとして記録されることができる。事例は、データ構造により符号化されるコンピュータ可読媒体およびコンピュータ・プログラムにより符号化されるコンピュータ可読媒体を含む。コンピュータ可読媒体は、物理的コンピュータ記録媒体を含む。記録媒体は、コンピュータによってアクセスされることができる任意の利用可能な媒体であってもよい。制限ではなく一例として、そのようなコンピュータ可読媒体は、ＲＡＭ、ＲＯＭ、ＥＥＰＲＯＭ、ＣＤ−ＲＯＭまたは他の光ディスク記録、磁気ディスク記録、半導体記録、または他の記録デバイス、または任意の他の媒体であって、コンピュータによってアクセスされることができる命令またはデータ構成の形式で所望のプログラムコードを記録するために使用されることができる媒体を具備することができる。本明細書において使用されるように、ディスク（disk and disc）は、コンパクトディスク（CD）、レーザーディスク（登録商標）、光ディスク、デジタルバーサタイルディスク（DVD）、フロッピーディスクおよびブルーレイ(登録商標)ディスクを含む。ここで、ディスク（disk）は、通常、データを磁気的に再生するものをいい、ディスク（disc）は、レーザを用いてデータを光学的に再生するものをいう。上記のものの組み合わせはまた、コンピュータ可読媒体の範囲内に含まれるべきである。
【００６７】
コンピュータ可読媒体上の記録に加えて、命令および/またはデータは、通信装置に含まれる送信媒体上の信号として提供されることができる。例えば、通信装置は、命令およびデータを示す信号を有するトランシーバを含むことができる。当該命令およびデータは、特許請求の範囲において概説される機能を１つまたは複数のプロセッサに実装させるように構成されている。すなわち、通信装置は、開示された機能を実行するための情報を示す信号を備える送信メディアを含む。第１の時間において、通信装置に含まれる送信媒体は、開示された機能を実行するための情報の第１の部分を含むことができるのに対し、第２の時間において、通信装置に含まれる送信媒体は、開示された機能を実行するための情報の第２の部分を含むことができる。
【００６８】
本開示の前述の説明は、当該技術分野の技術者の誰もが本発明を作るまたは使用することができるように提供される。これらの実施形態に対する様々な修正は、当該技術分野の技術者に直ちに明確となり、本明細書において定義された一般原則は、本開示の要旨または範囲から逸脱することなく他の実施形態に適用されることができる。したがって、本開示は、本明細書において説明される事例および設計に制限されるべきではないが、本明細書において開示された原則および新規の特徴と一致する最も広い範囲を与えられる。
以下に本件出願当初の特許請求の範囲に記載された発明を付記する。
［Ｃ１］
第１の基地局によって送信される第１の信号の第１のコンポーネントを第１の移動局において受信することと、ここにおいて、前記第１の信号は、
拡散符号を使用して符号化された前記第１のコンポーネントと、
前記拡散符号を使用して符号化された第２のコンポーネントと、を具備し、
前記第１のコンポーネントは、前記第２のコンポーネントとともに時間ドメイン多重化される、
第２の基地局によって送信される第２の信号の第３のコンポーネントを前記第１の移動局において受信することと、ここにおいて、前記第２の信号は、
前記拡散符号を使用して符号化された前記第３のコンポーネントと、
前記拡散符号を使用して符号化された第４のコンポーネントと、を具備し、
前記第３のコンポーネントは、前記第４のコンポーネントとともに時間ドメイン多重化される、
前記第１のコンポーネントおよび前記第３のコンポーネントを前記第１の移動局において復号することと、
を具備し、
前記第１の移動局は、前記第１の基地局および前記第２の基地局とソフトまたはソフター・ハンドオフ状態のうちの少なくとも１つにある、
方法。
［Ｃ２］
前記第１のコンポーネントおよび前記第３のコンポーネントは、完全なメッセージを形成するために結合される、
［Ｃ１］に記載の方法。
［Ｃ３］
前記完全なメッセージを形成するために使用されるデータを送信することを終了するための信号を送信することをさらに具備する、
［Ｃ２］に記載の方法。
［Ｃ４］
前記第１のコンポーネントおよび前記第３のコンポーネントは、実質的に同時に前記移動局によって受信される、
［Ｃ１］に記載の方法。
［Ｃ５］
前記第１のコンポーネントおよび第３のコンポーネントは、２０ミリ秒未満の時間の間に前記移動局によって受信される、
［Ｃ１］に記載の方法。
［Ｃ６］
前記第２のコンポーネントおよび前記第４のコンポーネントは、完全なメッセージを形成するために結合される、
［Ｃ１］に記載の方法。
［Ｃ７］
前記拡散符号は、直交符号である、
［Ｃ１］に記載の方法。
［Ｃ８］
前記拡散符号は、ウォルシュ符号である、
［Ｃ１］に記載の方法。
［Ｃ９］
前記第１の基地局によって送信される前記第１の信号の前記第２のコンポーネントを第２の移動局において受信することと、
第２の基地局によって送信される前記第２の信号の前記第４のコンポーネントを前記第２の移動局において受信することと、
前記第２のコンポーネントおよび前記第４のコンポーネントを前記第２の移動局において復号することと、
をさらに具備し、
前記第２の移動局は、前記第１の基地局および前記第２の基地局とソフトハンドオフ状態にある、
［Ｃ１］に記載の方法。
［Ｃ１０］
フレームに関するデータが受信されたという信号を前記第１の基地局および前記第２の基地局に送信することをさらに具備する、
［Ｃ１］に記載の方法。
［Ｃ１１］
前記第１のコンポーネントは、２０ミリ秒の期間にわたって前記第２のコンポーネントとともに時間ドメイン多重化され、前記第１のコンポーネントは、第１の１０ミリ秒を占有し、前記第２のコンポーネントは、第２の１０ミリ秒を占有する、
［Ｃ１］に記載の方法。
［Ｃ１２］
前記第３のコンポーネントは、２０ミリ秒の期間にわたって前記第４のコンポーネントとともに時間ドメイン多重化され、および前記第３のコンポーネントは、第１の１０ミリ秒を占有し、前記第４のコンポーネントは、第２の１０ミリ秒を占有する、
［Ｃ１］に記載の方法。
［Ｃ１３］
第１の基地局によって送信される第１の信号を第１の移動局において受信することと、ここにおいて、前記第１の信号は、
拡散符号を使用して符号化された第１のコンポーネントと、
前記拡散符号を使用して符号化された第２のコンポーネントと、を具備し、
前記第１のコンポーネントは、前記第２のコンポーネントとともに時間ドメイン多重化される、
第２の基地局によって送信される第２の信号を前記第１の移動局において受信することと、ここにおいて、前記第２の信号は、
前記拡散符号を使用して符号化された第３のコンポーネントと、
前記拡散符号を使用して符号化された第４のコンポーネントと、を具備し、
前記第３のコンポーネントは、前記第４のコンポーネントとともに時間ドメイン多重化される、
前記第１のコンポーネントおよび前記第３のコンポーネントを前記第１の移動局において復号することと、
を具備し、
前記第１のコンポーネントは、前記第３のコンポーネントとは異なり、前記第２のコンポーネントは、前記第４のコンポーネントとは異なる、方法。
［Ｃ１４］
第１の基地局および第２の基地局からデータを送信および受信するように構成されているアンテナと、ここにおいて、
前記第１の基地局から受信される前記データは、拡散符号を使用して符号化された第１のコンポーネントおよび第２のコンポーネントを具備し、
前記第２の基地局から受信される前記データは、前記拡散符号を使用して符号化された第３のコンポーネントおよび第４のコンポーネントを具備する、
前記第１のコンポーネントおよび前記第３のコンポーネントを具備する命令を記録するおよびデータを記録するように構成されているメモリと、
前記第１のコンポーネントおよび前記第３のコンポーネントを復号するために前記命令を使用するように構成されているプロセッサと、
を具備し、
前記システムは、前記第１の基地局および前記第２の基地局とソフトまたはソフター・ハンドオフ状態のうちの少なくとも１つにある、
システム。
［Ｃ１５］
前記プロセッサは、完全なメッセージを形成するために前記第１のコンポーネントおよび前記第３のコンポーネントを結合するように構成されている、
［Ｃ１４］に記載のシステム。
［Ｃ１６］
前記プロセッサは、ウォルシュ符号を使用して前記第１のコンポーネントおよび前記第２のコンポーネントを復号するように構成されている、
［Ｃ１４］に記載のシステム。
［Ｃ１７］
前記プロセッサは、完全なメッセージが受信されたことを決定し、前記完全なメッセージを形成するために使用されるデータを送信することを停止するよう前記第１の基地局および前記第２の基地局に要求する信号を準備するようにさらに構成されている、
［Ｃ１４］に記載のシステム。
［Ｃ１８］
第１の基地局によって送信される第１の信号の第１のコンポーネントを第１の移動局において受信するための手段と、ここにおいて、前記第１の信号は、
拡散符号を使用して符号化された前記第１のコンポーネントと、
前記拡散符号を使用して符号化された第２のコンポーネントと、を具備し、
前記第１のコンポーネントは、前記第２のコンポーネントとともに時間ドメイン多重化される、
第２の基地局によって送信される第２の信号の第３のコンポーネントを前記第１の移動局において受信するための手段と、ここにおいて、前記第２の信号は、
前記拡散符号を使用して符号化された第３のコンポーネントと、
前記拡散符号を使用して符号化された第４のコンポーネントと、を具備し、
前記第３のコンポーネントは、前記第４のコンポーネントとともに時間ドメイン多重化される、
前記第１のコンポーネントおよび前記第３のコンポーネントを前記第１の移動局において復号するための手段と、
前記第１の基地局と前記第２の基地局との間で送信するソフトまたはソフター・ハンドオフのうちの少なくとも１つのための手段と、
を具備するシステム。
［Ｃ１９］
第１の基地局によって送信される第１の信号の第１のコンポーネントを収集することと、ここにおいて、前記第１の信号は、
拡散符号を使用して符号化された前記第１のコンポーネントと、
前記拡散符号を使用して符号化された第２のコンポーネントと、を具備し、
前記第１のコンポーネントは、前記第２のコンポーネントとともに時間ドメイン多重化される、
第２の基地局によって送信される第２の信号の第３のコンポーネントを収集することと、ここにおいて、前記第２の信号は、
前記拡散符号を使用して符号化された前記第３のコンポーネントと、
前記拡散符号を使用して符号化された第４のコンポーネントと、を具備し、
前記第３のコンポーネントは、前記第４のコンポーネントとともに時間ドメイン多重化される、
前記第１のコンポーネントおよび前記第３のコンポーネントを復号することと、
ソフトまたはソフター・ハンドオフのうちの少なくとも１つにより前記第１の基地局と前記第２の基地局との間で送信することと、
をプロセッサにさせるように構成されているプロセッサ可読命令を記録するプロセッサ可読媒体を具備するコンピュータ・プログラム・プロダクト。
［Ｃ２０］
前記命令は、完全なメッセージを形成するために前記第１のコンポーネントおよび前記第３のコンポーネントを前記プロセッサに結合させるようにさらに構成されている、
［Ｃ１９］に記載のコンピュータ・プログラム・プロダクト。
［Ｃ２１］
前記命令は、前記完全なメッセージを形成するために使用されるデータを送信することを終了するための信号を前記プロセッサに送信させるようにさらに構成されている、
［Ｃ２０］に記載のコンピュータ・プログラム・プロダクト。
［Ｃ２２］
前記第１のコンポーネントおよび前記第３のコンポーネントを前記プロセッサに復号させる前記命令は、実質的に同時に実行される、
［Ｃ１９］に記載のコンピュータ・プログラム・プロダクト。
［Ｃ２３］
前記第１のコンポーネントおよび前記第３のコンポーネントを前記プロセッサに復号させる前記命令は、２０ミリ秒未満の時間の間に実行される、
［Ｃ１９］に記載のコンピュータ・プログラム・プロダクト。
［Ｃ２４］
第１のフレームを第１のコンポーネントおよび第２のコンポーネントを具備するコンポーネントに分割することと、ここにおいて、前記第１のコンポーネントは、前記第２のコンポーネントとともに時間ドメイン多重化される、
第２のフレームを第３のコンポーネントおよび第４のコンポーネントを具備するコンポーネントに分割することと、ここにおいて、前記第３のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化することと、
前記符号化された第１のコンポーネントおよび前記符号化された第２のコンポーネントを具備する第１の信号を第１の基地局において送信することと、
前記符号化された第３のコンポーネントおよび前記符号化された第４のコンポーネントを具備する第２の信号を第２の基地局において送信することと、ここにおいて、前記第２の信号は、前記第１の信号が送信されるのと実質的に同時に送信される、
前記第１の信号および前記第２の信号の送信が終了されることができることを示す第３の信号が移動局から受信されたかどうかを決定することと、
前記第３の信号が受信されたと決定すると、前記第１の信号および前記第２の信号の送信を停止することと、
を具備する方法。
［Ｃ２５］
前記符号化された第１のコンポーネントおよび前記符号化された第３のコンポーネントは、完全なメッセージを形成するために結合される、
［Ｃ２４］に記載の方法。
［Ｃ２６］
前記符号化された第２のコンポーネントおよび前記符号化された第４のコンポーネントは、完全なメッセージを形成するために結合される、
［Ｃ２４］に記載の方法。
［Ｃ２７］
前記拡散符号は、直交符号である、
［Ｃ２４］に記載の方法。
［Ｃ２８］
前記拡散符号は、ウォルシュ符号である、
［Ｃ２４］に記載の方法。
［Ｃ２９］
前記第１のコンポーネントは、２０ミリ秒の期間にわたって前記第２のコンポーネントとともに時間ドメイン多重化され、前記第１のコンポーネントは、第１の１０ミリ秒を占有し、前記第２のコンポーネントは、第２の１０ミリ秒を占有する、
［Ｃ２４］に記載の方法。
［Ｃ３０］
前記第３のコンポーネントは、２０ミリ秒の期間にわたって前記第４のコンポーネントとともに時間ドメイン多重化され、前記第３のコンポーネントは、第１の１０ミリ秒を占有し、前記第４のコンポーネントは、第２の１０ミリ秒を占有する、
［Ｃ２４］に記載の方法。
［Ｃ３１］
第１のフレームを第１のコンポーネントおよび第３のコンポーネントを具備するコンポーネントに分割し、ここにおいて、前記第１のコンポーネントは、第２のコンポーネントとともに時間ドメイン多重化される、
第２のフレームを前記第２のコンポーネントおよび第４のコンポーネントを具備するコンポーネントに分割し、ここにおいて、前記第３のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化する
ように構成されているプロセッサと、
前記符号化された第１のコンポーネントおよび前記符号化された第２のコンポーネントを第１の基地局へ送信し、
前記符号化された第３のコンポーネントおよび前記符号化された第４のコンポーネントを第２の基地局へ送信する
ように構成されている基地局インターフェースと、
前記符号化された第１のコンポーネントおよび前記符号化された第２のコンポーネントを送信するように構成されている前記第１の基地局と、
前記第１の基地局が、前記符号化された第１のコンポーネントおよび前記符号化された第２のコンポーネントを送信するのと実質的に同時に、前記符号化された第３のコンポーネントおよび前記符号化された第４のコンポーネントを送信するように構成されている前記第２の基地局と、
を具備し、
前記第１の基地局および前記第２の基地局は、移動局とソフトまたはソフター・ハンドオフ状態のうちの少なくとも１つにある、
システム。
［Ｃ３２］
第１のフレームを第１のコンポーネントおよび第３のコンポーネントを具備するコンポーネントに分割するための手段と、ここにおいて、前記第１のコンポーネントは、第２のコンポーネントとともに時間ドメイン多重化される、
第２のフレームを前記第２のコンポーネントおよび第４のコンポーネントを具備するコンポーネントに分割するための手段と、ここにおいて、前記第３のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化するための手段と、
前記符号化された第１のコンポーネントおよび前記符号化された第２のコンポーネントを第１の基地局から送信するための手段と、
前記第１の基地局が、前記符号化された第１のコンポーネントおよび前記符号化された第２のコンポーネントを送信するのと実質的に同時に、前記符号化された第３のコンポーネントおよび前記符号化された第４のコンポーネントを第２の基地局から送信するための手段と、
移動局、前記第１の基地局、および前記第２の基地局の間の少なくとも１つのソフトまたはソフター・ハンドオフ送信のための手段と、
を具備するシステム。
［Ｃ３３］
第１のフレームを第１のコンポーネントおよび第３のコンポーネントを具備するコンポーネントに分割することと、ここにおいて、前記第１のコンポーネントは、第２のコンポーネントとともに時間ドメイン多重化される、
第２のフレームを前記第２のコンポーネントおよび第４のコンポーネントを具備するコンポーネントに分割することと、ここにおいて、前記第３のコンポーネントは、前記第４のコンポーネントとともに時間ドメイン多重化される、
前記第１のコンポーネント、前記第２のコンポーネント、前記第３のコンポーネント、および前記第４のコンポーネントを拡散符号で符号化することと、
前記符号化された第１のコンポーネントおよび前記符号化された第２のコンポーネントを第１の基地局において送信することと、
前記第１の基地局が、前記符号化された第１のコンポーネントおよび前記符号化された第２のコンポーネントを送信するのと実質的に同時に、前記符号化された第３のコンポーネントおよび前記符号化された第４のコンポーネントを第２の基地局において送信することと、
をプロセッサにさせるように構成されているプロセッサ可読命令を記録するプロセッサ可読媒体を具備するコンピュータ・プログラム・プロダクト。
【図１Ａ】
0005410540.tif 000002
【図１Ｂ】
0005410540.tif 000003
【図１Ｃ】
0005410540.tif 000004
【図１Ｄ】
0005410540.tif 000005
【図１Ｅ】
0005410540.tif 000006
【図２Ａ】
0005410540.tif 000007
【図２Ｂ】
0005410540.tif 000008
【図３Ａ】
0005410540.tif 000009
【図３Ｂ】
0005410540.tif 000010
【図４Ａ】
0005410540.tif 000011
【図４Ｂ】
0005410540.tif 000012
【図５】
0005410540.tif 000013
【図６】
0005410540.tif 000014
【図７】
0005410540.tif 000015
【図８】
0005410540.tif 000016
【図９】
0005410540.tif 000017
【図１０】
0005410540.tif 000018